(57)【要約】      （修正有）【課題】平面形状を長方形状となすテープカセットを長手方向を挿入端として安全に且つ確実に記録及び／又は再生部への挿脱を行う。【解決手段】本体１に設けられ磁気ヘッド９を含む記録及び／又は再生部と、テープカセットが一対の短辺のうちの一辺を挿入方向の前端として挿入されるカセットホルダ８を含み挿入されたテープカセットを記録及び／又は再生部に装着する位置と、カセット保持機構に挿入されたテープカセットを記録及び／又は再生部から離間させた位置との間に亘って回動可能に本体１に支持されるカセット保持機構を備える。カセット保持機構は、記録及び／又は再生モードにあるとき、テープカセットのイジェクト操作が禁止され、テープカセットの挿入動作によって移動操作されてこのカセット保持機構が記録及び／又は再生部から離間する位置に移動されたときに、カセット保持機構に保持されたテープカセットをイジェクトする。【選択図】図６
2005353272.tif 000002
【特許請求の範囲】
【請求項１】
平面が長方形状に形成された本体と、
上記本体に設けられ、テープカセット内のテープ状記録媒体に情報信号の記録及び／又は再生を行う記録及び／又は再生手段と、
平面形状を長方形状となすテープカセットが相対向する一対の短辺のうちの一辺を挿入方向の前端として挿入され、上記挿入されたテープカセットを上記記録及び／又は再生手段に装着する位置と、上記カセット保持手段に挿入されたテープカセットを上記記録及び／又は再生手段から離間させた位置との間を回動可能に上記本体の短辺に配されてなるカセット保持手段と、
上記カセット保持手段がテープカセットを上記記録及び／又は再生手段に装着する装着位置に回動されたとき、上記カセット保持手段を上記装着位置にロックするロック手段と、
上記ロック手段による上記カセット保持手段のロックを解除し、上記カセット保持手段を上記記録及び／又は再生手段から離間する離間位置に移動可能とするイジェクト操作手段と
を備えていることを特徴とする記録及び／又は再生装置。
【請求項２】
上記記録及び／又は再生手段は、テープカセットのテープ状記録媒体に情報信号の記録若しくは再生を行い、上記カセット保持手段に挿入された位置と上記カセット保持手段より離間した位置との間を移動可能に設けられたヘッドを備えるとともに、上記装置は、さらに上記カセット保持手段が上記装着する位置から上記隔離する位置へ移動する際に上記ヘッドを上記離間した位置に移動させる移動手段を備えていることを特徴とする請求の範囲１記載の記録及び／又は再生装置。
【請求項３】
上記テープカセットは、長手方向の一の側面にヘッド進入用開口部が形成され、上記ヘッドは、上記テープカセットの上記カセット保持手段への挿入方向とほぼ直交する方向から上記ヘッド進入用開口部に進入し又は退出するように設けられていることを特徴とする請求項２記載の記録及び／又は再生装置。
【請求項４】
上記カセット保持手段は、テープカセットの相対向する一対の長辺のうちの一方の長辺を保持する第１の保持部と、他方の長辺をテープカセットの挿入が完了された位置で保持する第２の保持部が設けられて上記カセット保持手段に挿入されたテープカセットを保持するホルダと、上記本体の上記カセット保持手段が設けられた短辺側に配され、上記記録及び／又は再生手段を開放する開放位置と一方記録及び／又は再生手段を閉塞する閉塞位置との間を上記ホルダとともに回動する蓋体とを備えていることを特徴とする請求項１記載の記録及び／又は再生装置。
【請求項５】
上記記録及び／又は再生手段は、テープカセットのテープ状記録媒体に情報信号を記録若しくは再生を行い、上記ホルダに挿入された位置と上記ホルダより離間した位置との間を移動可能に設けられたヘッドとを備えるとともに、上記装置は、さらに上記ホルダと上記蓋体の上記装着する位置から上記隔離する位置への移動によって上記ヘッドを上記離間した位置に移動させる移動手段を備えていることを特徴とする請求項４記載の記録及び／又は再生装置。
【請求項６】
上記装置は、さらに上記蓋体を上記開放位置に移動操作する操作手段を備え、上記移動手段は、上記操作手段が操作されることによって上記ヘッドを上記挿入された位置から上記離間した位置に移動されることを特徴と請求項５記載の記録及び／又は再生装置。
【請求項７】
上記装置は、さらに上記蓋体を上記閉塞位置にロックするロック手段を備えていることを特徴とする請求項４記載の記録及び／又は再生装置。
【請求項８】
上記記録及び／又は再生手段は、テープカセットのテープ状記録媒体に情報信号の記録若しくは再生を行い、上記ホルダに挿入された位置と上記ホルダより離間した位置との間を移動可能に設けられたヘッドを備えているとともに、上記装置は、さらに上記ロック手段による上記蓋体のロック状態を解除することによって上記ヘッドを上記離間した位置に移動させる移動手段を備えていることを特徴とする請求項７記載の記録及び／又は再生装置。
【請求項９】
上記装置は、さらに上記記録及び／又は再生手段が記録若しくは再生動作中にあるとき、上記ロック手段による上記蓋体のロックを解除する動作を阻止する阻止手段を備えていることを特徴とする請求項７記載の記録及び／又は再生装置。
【請求項１０】
上記カセット保持手段は、テープカセットの挿入動作によって移動操作されて上記カセット保持手段が上記離間する位置に移動されたときに、上記カセット保持手段に保持されたテープカセットを上記カセット保持手段から排出する方向に移動操作するカセット移動操作手段を備えていることを特徴とする請求項１記載の記録及び／又は再生装置。
【請求項１１】
上記本体に取付けられるとともに、上記蓋体が開閉自在に取付けられる開閉機構を備え、上記蓋体は上記開閉機構と上記カセットホルダのヒンジ部に取付けられていることを特徴とする請求項４項記載の記録及び／又は再生装置。
【請求項１２】
上記カセットホルダによって保持されているテープカセットを上記記録及び／又は再生手段側に付勢する付勢手段を備え、上記付勢手段は上記蓋体の裏面側に設けられ、上記カセットホルダに形成された開口部を介して上記カセットホルダによって保持されているテープカセットを上記記録及び／又は再生手段側に付勢していることを特徴とする請求項１１記載の記録及び／又は再生装置。
【請求項１３】
上記カセット移動操作手段は、上記カセット保持手段に移動可能に設けられて上記カセットホルダに挿入されたテープカセットによって移動操作される移動部と、上記移動部を上記カセットホルダに挿入されたテープカセットを排出する方向に付勢する付勢手段と、上記移動部を上記カセットホルダにテープカセットの挿入を完了させた位置にロックするロック部とを備え、上記ロック部は、上記カセットホルダが上記第１の位置に移動されたときに、上記移動部のロックを解除することを特徴とする請求項１０記載の記録及び／又は再生装置。
【発明の詳細な説明】
【技術分野】
【０００１】
本発明は、テープカセットを記録媒体に用いる記録及び／又は再生装置に関する。
【背景技術】
【０００２】
従来、磁気テープ等のテープ状をなす情報信号の記録媒体を収納したテープカセットを用いるテープレコーダが広く用いられている。このテープレコーダは、テープカセットに収納された磁気テープに対し情報信号の記録再生を行う記録再生部が設けられたレコーダ本体に、テーブカセットが挿入保持されるカセットホルダを回動可能に配設している。そして、テープカセットは、カセットホルダに挿入保持され、このカセットホルダがレコーダ本体側に配設された記録再生部側に回動されることによって、この記録再生部の上面側に構成されたカセット装着部に装着される。
【０００３】
このカセット装着部には、テープカセット内に回転可能に収納された磁気テープが巻回された一対のテープリールに相対係合する一対のリール駆動軸と、磁気テープを定速走行させるキャプスタン軸及びピンチローラからなるテープ送り機構と、このテープ送り機構によって定速走行される磁気テープに対し楽音信号等の情報信号を記録再生する磁気ヘッドが配設されている。
【０００４】
このテープレコーダにおいては、記録再生部のカセット装着部にテープカセットが装着されると、テープカセット側のテープリールにリール駆動軸が係合し、テープリールを回転操作するとともに、キャプスタン軸にピンチローラが圧着し、テープカセットに収納された磁気テープを定速走行させ、さらに磁気テープに磁気ヘッドが摺接することによって情報信号の記録再生が行われる。
【０００５】
そして、テープレコーダにあっては、カセット装着部に装着されるテープカセットの外形形状に略等しい大きさにまで小型化されたものが提供されている。
【０００６】
従来用いられているこの種のテープレコーダにあっては、テープカセットをカセット装着部に装着させるカセットホルダは、テープカセットが相対向する長辺のうちの一辺を挿入端として挿入されるように構成されている。すなわち、テープカセットは、長手方向を挿入端となす横向きにしてカセットホルダに対する挿脱が行われる。
【０００７】
これは、テープカセットが、相対向する長辺のうちの一辺に沿う側面に磁気テープの一部を外方に臨ませる開口部が形成されているため、この開口部を磁気ヘッドに対向させた状態で、この磁気ヘッドが開口部に対し進退されるようにテープレコーダの記録再生部が構成されているためである。
【０００８】
そして、テープカセットをカセットホルダに対し横向きにして挿脱するようにしたテープレコーダにあっては、テープカセットは、相対向する一対の短辺側を把持されてカセットホルダに対する挿脱が行われる。また、テープカセットは、横向きにしてカセットホルダに対する挿脱が行われることから、カセットホルダに対する挿脱量が小さくなる。このような実情から、テープカセットを把持してカセットホルダに対し挿脱を行う操作が困難となり、カセット装着部に確実に装着させることが困難となってしまう場合がある。
【発明の開示】
【発明が解決しようとする課題】
【０００９】
そこで、本発明の目的は、平面形状を長方形状となすテープカセットを長手方向を挿入端となす横向きにしてテープレコーダ等の記録及び／又は再生装置に挿脱することから生ずる問題点を解消し、容易にテープカセットの挿脱を行うことを可能となす新規な記録及び／又は再生装置を提供することにある。
【００１０】
また、本発明の目的は、テープカセットを装置本体内の装着位置に確実に装着させることを可能となす記録及び／又は再生装置を提供することにある。
【００１１】
さらに、本発明の目的は、テープカセットの挿脱操作に関連して、情報信号の記録及び／又は再生を行うヘッドをテープカセットに対し近接離間するようになすことによって、ヘッドの保護を図った記録及び／又は再生装置を提供することにある。
【００１２】
さらにまた、本発明の目的は、情報信号の記録及び／又は再生動作中に誤ってテープカセットの挿脱が行われないようになし、テープカセット及び記録及び／又は再生装置側の記録及び／又は再生手段を構成するヘッドやその他の機構部の保護を確実に行い得る記録及び／又は再生装置を提供することにある。
【００１３】
さらにまた、本発明の目的は、テープカセットがカセット装着部に装着された後、あるいはテープカセットがカセット装着部が離間された後に、ヘッドの移動操作を行うようになし、テープカセットに収納された磁気テープ等のテープ状記録媒体及び記録及び／又は再生手段を構成するヘッドの保護を実現する記録及び／又は再生装置を提供することにある。
【課題を解決するための手段】
【００１４】
本発明に係る記録及び／又は再生装置は、上述したような目的を達成するため、平面が長方形状に形成された本体と、上記本体に設けられ、テープカセット内のテープ状記録媒体に情報信号の記録及び／又は再生を行う記録及び／又は再生手段と、平面形状を長方形状となすテープカセットが相対向する一対の短辺のうちの一辺を挿入方向の前端として挿入され、上記挿入されたテープカセットを上記記録及び／又は再生手段に装着する位置と、上記カセット保持手段に挿入されたテープカセットを上記記録及び／又は再生手段から離間させた位置との間を回動可能に上記本体の短辺に配されてなるカセット保持手段と、上記カセット保持手段がテープカセットを上記記録及び／又は再生手段に装着する装着位置に回動されたとき、上記カセット保持手段を上記装着位置にロックするロック手段と、上記ロック手段による上記カセット保持手段のロックを解除し、上記カセット保持手段を上記記録及び／又は再生手段から離間する離間位置に移動可能とするイジェクト操作手段とを備えている。
【００１５】
上記記録及び／又は再生手段は、テープカセットのテープ状記録媒体に情報信号の記録若しくは再生を行い、上記カセット保持手段に挿入された位置と上記カセット保持手段より離間した位置との間を移動可能に設けられたヘッドを備えるとともに、上記装置は、さらに上記カセット保持手段が上記装着する位置から上記隔離する位置へ移動する際に上記ヘッドを上記離間した位置に移動させる移動手段を備えている。
【００１６】
ここで用いるテープカセットは、長手方向の一の側面にヘッド進入用開口部が形成され、上記ヘッドは、上記テープカセットの上記カセット保持手段への挿入方向とほぼ直交する方向から上記ヘッド進入用開口部に進入し又は退出するように設けられている。
【００１７】
また、上記カセット保持手段は、テープカセットの相対向する一対の長辺のうちの一方の長辺を保持する第１の保持部と、他方の長辺をテープカセットの挿入が完了された位置で保持する第２の保持部が設けられて上記カセット保持手段に挿入されたテープカセットを保持するホルダと、上記本体の上記カセット保持手段が設けられた短辺側に配され、上記記録及び／又は再生手段を開放する開放位置と一方記録及び／又は再生手段を閉塞する閉塞位置との間を上記ホルダとともに回動する蓋体とを備えている。
【００１８】
さらに、上記記録及び／又は再生手段は、テープカセットのテープ状記録媒体に情報信号を記録若しくは再生を行い、上記ホルダに挿入された位置と上記ホルダより離間した位置との間を移動可能に設けられたヘッドとを備えるとともに、上記装置は、さらに上記ホルダと上記蓋体の上記装着する位置から上記隔離する位置への移動によって上記ヘッドを上記離間した位置に移動させる移動手段を備えている。
【００１９】
本発明に係る記録及び／又は再生装置は、さらに上記蓋体を上記開放位置に移動操作する操作手段を備え、上記移動手段は、上記操作手段が操作されることによって上記ヘッドを上記挿入された位置から上記離間した位置に移動される。
【００２０】
本発明に係る記録及び／又は再生装置は、さらに上記蓋体を上記閉塞位置にロックするロック手段を備えている。
【００２１】
本発明に係る記録及び／又は再生装置は、さらに上記記録及び／又は再生手段が記録若しくは再生動作中にあるとき、上記ロック手段による上記蓋体のロックを解除する動作を阻止する阻止手段を備えている。
【００２２】
また、上記カセット保持手段は、テープカセットの挿入動作によって移動操作されて上記カセット保持手段が上記離間する位置に移動されたときに、上記カセット保持手段に保持されたテープカセットを上記カセット保持手段から排出する方向に移動操作するカセット移動操作手段を備えている。
【００２３】
本発明に係る記録及び／又は再生装置は、さらに、上記本体に取付けられるとともに、上記蓋体が開閉自在に取付けられる開閉機構を備え、上記蓋体は上記開閉機構と上記カセットホルダのヒンジ部に取付けられている。
【００２４】
本発明に係る記録及び／又は再生装置は、さらに、上記カセットホルダによって保持されているテープカセットを上記記録及び／又は再生手段側に付勢する付勢手段を備え、上記付勢手段は上記蓋体の裏面側に設けられ、上記カセットホルダに形成された開口部を介して上記カセットホルダによって保持されているテープカセットを上記記録及び／又は再生手段側に付勢している。
【００２５】
さらに、上記カセット移動操作手段は、上記カセット保持手段に移動可能に設けられて上記カセットホルダに挿入されたテープカセットによって移動操作される移動部と、上記移動部を上記カセットホルダに挿入されたテープカセットを排出する方向に付勢する付勢手段と、上記移動部を上記カセットホルダにテープカセットの挿入を完了させた位置にロックするロック部とを備え、上記ロック部は、上記カセットホルダが上記第１の位置に移動されたときに、上記移動部のロックを解除する。
【発明の効果】
【００２６】
本発明に係る記録及び／又は再生装置は、平面形状を長方形状となすテープカセットが相対向する一対の短辺のうちの一辺を挿入方向の前端として挿入されるカセットホルダの如きカセット保持機構とを備え、このカセット保持機構が、本体の短辺を支持端として配設され、挿入されたテープカセットを記録及び／又は再生部に装着する位置と、カセット保持機構に挿入されたテープカセットを記録及び／又は再生部から離間させた位置との間に亘って回動可能に本体に支持されてなるので、長手方向を挿入端となす横向きにしてテープカセットの挿脱を行う記録及び／又は再生装置が有する問題点を解消し、容易にテープカセットの挿脱を行うことができる。
【００２７】
また、本発明に係る記録及び／又は再生装置は、カセット保持機構がテープカセットを記録及び／又は再生部に装着させる位置から離間させる位置に移動する際、ヘッドをテープカセットの装着位置から離間した位置に移動させるようにしてなるので、ヘッド等装置側に機構部及びテープカセットの確実な保護を図ることができる。
【００２８】
さらに、本発明に係る記録及び／又は再生装置は、テープカセットがカセット装着部に装着された後、あるいはテープカセットがカセット装着部が離間された後に、ヘッドの移動操作を行うようになし、テープカセットに収納された磁気テープ等のテープ状記録媒体及び記録及び／又は再生手段を構成するヘッドの保護を実現できる。
【００２９】
さらにまた、本発明に係る記録及び／又は再生装置は、記録及び／又は再生部がテープカセット内のテープ状記録媒体に対し情報信号の記録及び／又は再生を可能となす状態にあるとき、ロック機構により蓋体のロック状態を維持するようにしてなるので、誤操作により記録及び／又は再生途中でテープカセットがイジェクトされてしまうことを確実に防止し、ヘッドやテープ走行機構等の機構部を確実に保護することができる。
【発明を実施するための最良の形態】
【００３０】
以下、本発明の具体的な実施の形態を図面を参照して説明する。
【００３１】
ここに示す実施の形態は、情報信号の記録媒体としてテープ状をなす磁気テープを収納したテープカセットを用いる記録再生装置であるテープレコーダに適用したものである。〔１〕テープカセット
本実施例のテープレコーダに用いられるテープカセットを説明する。このテープカセット２０１は、標準サイズのテープカセットであって、いわゆるフィリップスタイプのものである。
【００３２】
このテープカセット２０１は、図１に示すように、平面形状を長方形となす薄い箱状に形成されたカセットハーフ２０９を備える。このカセットハーフ２０９内には、一対のテープリール２０２，２０３が回転可能に支承され、これらテープリール２０２，２０３間に亘って磁気テープ２０６が巻回されている。カセットハーフ２０９の相対向する一対の長辺２０９ａ，２０９ｂのうちの一方の長辺２０９ａに沿う前面側には、磁気ヘッド挿入穴２０７及びピンチローラ挿入穴２０８等が開設されている。そして、カセットハーフ２０９内に収納された磁気テープ２０６の一対のテープリール２０２，２０３間に亘る部分は、磁気ヘッド挿入穴２０７及びピンチローラ挿入穴２０８等を介してカセットハーフ２０９の外方に臨まされている。
【００３３】
また、カセットハーフ２０９の平面部には、一対のテープリール２０２，２０３の中心部に形成されたリールハブ２０２ａ，２０３ａを外方に臨ませる一対のリール軸挿通孔２１０，２１１が開設されている。
〔２〕テープレコーダ
図１に示すテープカセット２０１を記録媒体に用いる本実施例のテープレコーダは、ここに装着されるテープカセット２０１の平面形状に対応して、図２乃至図５に示すように、平面形状を長方形となす薄い直方体として構成されている。
【００３４】
このテープレコーダは、テープカセット２０１が装着されるカセット装着部４が構成されるとともに、このカセット装着部４に装着されたテープカセット２０１内の磁気テープ２０６を走行操作し、この磁気テープ２０６に情報信号の記録再生を行う磁気ヘッドが配設されて記録再生部が構成されるレコーダ本体１と、このレコーダ本体１に回動可能に支持された蓋体５とを備えている。
【００３５】
レコーダ本体１は、磁気テープ２０６を走行操作するテープ走行機構等の機構部が配設されるハウジング２と、このハウジング２の外周側に嵌合するように配設されるコ字状をなす外フレーム３とから構成されている。レコーダ本体１を構成するハウジング２は、薄い金属板を打ち抜き折曲して形成され、このテープレコーダに装着されるテープカセット２０１の平面形状に略対応する長方形の平面形状を有する箱状に形成されている。また、外フレーム３は、合成樹脂を成形して形成され、図６に示すように、長方形状をなすハウジング２の相対向する一対の短辺の一辺から相対向する一対の長辺に亘る外周側に嵌合されるようにコ字状に形成されている。
【００３６】
蓋体５は、レコーダ本体１を構成するハウジング２の開放された主面側を開閉するように、レコーダ本体１の一部に回動可能に支持されて取付けられている。すなわち、蓋体５は、ハウジング２の開放された主面側に構成されるカセット装着部４を覆うに足る大きさに形成されてなるものであって、このカセット装着部４に装着されるテープカセット２０１の平面形状に略対応する長方形状に形成されている。また、蓋体５は、レコーダ本体１の相対向する一対の短辺の一つの短辺側に設けられる後述する回動軸４５により構成されるヒンジ部を介して支持され、このヒンジ部を中心に図３中矢印Ａ１方向及び矢印Ａ２方向に回動操作され、カセット装着部４を開閉する。
【００３７】
そして、レコーダ本体１を構成するハウジング２内には、図６に示すように、カセット装着部４に装着されたテープカセット２０１に収納された磁気テープ２０６を定速走行させるテープ走行機構や走行する磁気テープ２０６に摺接して情報信号の記録再生を行う磁気ヘッド等の記録再生部を構成する機構部が構成されるシャーシ６が配設されている。このシャーシ６は、薄い金属板を打ち抜き、一部を折曲して形成されてなる。
【００３８】
ハウジング２内に配設されたシャーシ６の一方の主面側には、テープカセット２０１が装着されるカセット装着部４が構成される。カセット装着部４には、テープカセット２０１を位置決めして装着させるための一対の位置決めピン１５，１６、この装着部４に装着されたテープカセット２０１に収納された磁気テープ２０６に摺接してこの磁気テープ２０６に対し情報信号の記録再生を行う磁気ヘッド９、テープカセット２０１に収納された磁気テープ２０６を挟持して定速走行させる一対の第１及び第２のキャプスタン軸１７，１８及び一対の第１及び第２のピンチローラ１１，１２、テープカセット２０１内のテープリール２０２，２０３のリールハウジング２０２ａ，２０３ａに係合しこれらテープリール２０２，２０３を回転操作する一対のリール駆動軸１９，２０が配設される。
【００３９】
そして、一対の位置決めピン１５，１６は、シャーシ６の一方の主面側に突出するように植立され、カセットハーフ２０９に設けた一対の位置決め孔２１４，２１４にそれぞれ係合することによって、カセット装着部４に装着されるテープカセット２０１の装着位置を位置決めする。また、第１及び第２のキャプスタン軸１７，１８は、シャーシ６に回転自在に取り付けられ、シャーシ６の他方の主面側に配設される駆動モータにより、一定の回転速度で回転操作される。なお、第１及び第２のキャプスタン軸１７，１８の回転方向は、互いに逆方向となされている。これらキャプスタン軸１７，１８は、カセットハーフ２０９に設けた一対のキャプスタン軸挿通孔２１３，２１３を介して、カセットハーフ２０９内を走行する磁気テープ２０６の背後側に進入する。さらに、各ピンチローラ１１，１２は、回転自在に支持されるとともに、各キャプスタン軸１７，１８に対して接離する方向に移動可能となされてシャーシ６上に配設されている。これらピンチローラ１１，１２は、カセットハーフ２０９の前面側に形成された各ピンチローラ挿入穴２０８，２０８を介してカセットハーフ２０９内に進入し、各キャプスタン軸１７，１８と共働して磁気テープ２０６を挟持し、磁気テープ２０６を一定の速度で定速走行させる。さらにまた、磁気ヘッド９は、カセットハーフ２０９の前面側に形成した磁気ヘッド挿入穴２０７を介してカセットハーフ２０９内に進入して磁気テープ２０６に摺接し、この磁気テープ２０６に対し情報信号の記録又は再生を行う。
【００４０】
レコーダ本体１に回動可能に支持された蓋体５のカセット装着部４に対向する内側面には、テープカセット２０１の平面形状に略々対応した長方形状をなす主面部８ａを有するカセットホルダ８が重ねあわせるように配設されている。このカセットホルダ８には、蓋体５が図３に示すようにカセット装着部４を開放した位置に回動された状態にあるときに、カセット装着部４より離間された側の短辺側よりテープカセット２０１が挿入される。すなわち、テープカセット２０１は、相対向する一対の短辺２０９ｃ，２０９ｄの一方の短辺２０９ｃ側を挿入端として、カセットホルダ８に挿入される。テープカセット２０１が挿入されたカセットホルダ８は、カセット装着部４を閉塞するように回動されると、位置決めピン１５，１６を位置決め孔２１４，２１４に係合させてテープカセット２０１をカセット装着部４に位置決めして装着させる。
【００４１】
また、シャーシ６の周縁には、図６に示すように、シャーシ６の主面を囲むようにして略コ字状をなす側板７が取り付けられ、この側板７の外周面側に重ね合わせるにして外フレーム３が取付けられている。そして、ハウジング２は、周縁に形成した立上り周壁２ａを外フレーム３の一部に嵌合させるように配設され、立上り周壁２ａを側板７に固定ネジ等を用いて固定して取付けられる。
【００４２】
シャーシ６のカセット装着部４が構成される主面に対向する他方の主面側であるハウジング２側に位置する面には、このテープレコーダの各動作モードを設定するなど磁気テープ２０６の走行状態を制御する制御回路部が構成された電子回路基板１０が配設されている。
〔３〕操作釦
ハウジング２のカセット装着部４が構成される側と対向する外側面側には、このテープレコーダの操作モードを選択する操作部を構成する操作部となる操作釦７４が配設され、開口部９０を介してハウジング２の外方に臨まされている。この操作釦７４は、図５に示すように、順方向（フォワード方向）又は逆方向（リバース方向）に磁気テープ２０６を定速走行させる定速走行モード（Ｐｌａｙ）、停止モード（Ｓｔｏｐ）、早送りモード（ＦＦ）、巻戻しモード（Ｒｅｗ）にそれぞれ対応する４個の押圧部を備える。これら押圧部は、図６に示すように、シャーシ６上に配設された電子回路基板１０に設けられたシートスイッチに対向させている。そして、操作釦７４の各操作モードに対応した押圧部を押圧操作することによって、シートスイッチが押圧操作され、押圧部に対応した操作モードが選択される。
【００４３】
また、操作釦７４は、図４及び図５に示すように、ハウジング２にスライド可能に取り付けられたシャッタ板９２によって覆われる。このシャッタ板９２は、金属板により形成され、ハウジング２の外側面側にスライド可能に配設されている。なお、シャッタ板９２は、ハウジング２の外側面と面一となるようにハウジングの外側面に設けた凹部１０６内に配設され、この凹部１０６の範囲でスライド操作されて操作釦７４を開閉する。
【００４４】
ところで、シャッタ板９２には、一対の連結ピン９６，９６及び一対の取付けピン９７，９７が一体的に形成された連結部材９５が取付けられている。この連結部材９５は、各取付けピン９７，９７をシャッタ板９２に設けられた一対の取付け孔９４，９４に挿通させ、これら取付けピン９７，９７の先端側をカシメることによりシャッタ板９２に取付けられている。また、連結部材９５は、シャッタ板９２に穿設された一対の透孔９３，９３に各連結ピン９６，９６をそれぞれ挿通させている。各連結ピン９６，９６は、ハウジング２に形成した開口部８９を介して、ハウジング２内に突出されている。このハウジング２の内側面側には、開口部孔８９に対応して、スライドガイド板７６が取付けられている。このスライドガイド板７６には、開口部孔８９に対応する位置に、一対の長溝８０，８０及びスライドガイド溝８１が穿設されている。各連結ピン９６，９６は、各長溝８０，８０に挿通され、スライドガイド板７６よりもさらにハウジング２の内方に突出されている。
そして、スライドガイド板７６の一端側には、操作釦７４が取付けられている。この操作釦７４は、ハウジング２の内方側に臨む裏面側に取り付けられた板バネ７５を介して、スライドガイド板７６の一端側に取付けられている。この板バネ７５は、スライドガイド板７６のハウジング２の内側面に対向する面側に取り付けられ、スライドガイド板７６によりハウジング２の内側面側に押圧支持されている。また、板バネ７５には、操作釦７４の各押圧部に対応して複数の透孔９９が穿設されている。これら透孔９９は、操作釦７４の各押圧部をハウジング２の内方に突出させるためのものである。さらに、スライドガイド板７６の一端側には、透孔７７，７７，７９及び切欠き部７８が形成されている。これら透孔７７，７７，７９及び切欠き部７８は、板バネ７５に穿設した透孔９９に臨まされる操作釦７４の各押圧部を、ハウジング２の内方に突出させるためのものである。
【００４５】
さらに、操作釦７４の各押圧部の背面側には突起が形成されている。これら突起は、操作釦７４の各押圧部が押圧操作されたとき、電子回路基板１０側に配設されたシートスイッチを押圧操作するためのものである。
【００４６】
そして、連結部材９５の各連結ピン９６，９６の先端側には、金属板を打ち抜き取付け孔８７，８７を穿設した平板状をなす支持板１０５が取付けられている。この支持板１０５は、取付け孔８７，８７に連結ピン９６，９６をそれぞれ挿通し、これら連結ピン９６，９６の先端側をカシメることにより、連結部材９５に取付けられる。
【００４７】
また、支持板１０５には、各取付け孔８７，８７間に位置して、ハウジング２の内方に向かってガイドピン８８が突設されている。このガイドピン８８は、スライドガイド溝８１に対し、ハウジング２の内方側から挿通されている。
【００４８】
また、支持板１０５には、スライドガイド溝８１と平行にガイド溝８６が穿設されている。このガイド溝８６には、スライドガイド板７６の他端側にハウジング２の内方に向かって突設されたガイドピン８２が挿通係合されている。
【００４９】
シャッタ板９２は、スライドガイド溝８１及びガイド溝８６にガイドされて、ハウジング２に対してスライド可能に支持されている。このシャッタ板９２は、図４に示す操作釦７４を覆う位置と、図５に示す操作釦７４を外方側に臨ませる位置との間に亘ってスライド操作される。
【００５０】
そして、スライドガイド板７６の他端側に突設された係止ピン８３と支持板１０５の他端側に突設された係止ピン８５との間には、トグルバネ８４の各アーム部がそれぞれ係止されている。このトグルバネ８４は、支持板１０５を、この支持板１０５のスライド可能範囲の中央位置より離間する方向に付勢する。すなわち、シャッタ板９２は、トグルバネ８４の付勢力を受けて操作釦７４を覆う位置となる方向と操作釦７４を外方に臨ませる位置となる方向とのいずれかの方向に付勢される。
【００５１】
なお、連結部材９５のシャッタ板９２の表面側に突出された部分は、シャッタ板９２を手指により移動操作するときに指掛け部として機能する。
【００５２】
〔４〕操作モードの切換え機構
シャーシ６のカセット装着部４が構成される一方の主面と対向するハウジング２の内方側に臨む他方の主面側には、図７及至図９に示すように、駆動モータ１１９が取付けられるとともに、この駆動モータ１１９を選択された操作モードに応じて各リール駆動軸１９，２０及び第１及び第２のキャプスタン軸１７，１８に選択的に伝達する操作モードの切換え機構が配設されている。この切換え機構は、各操作モードを選択するときに動作するソレノイドプランジャ３０１及びカムギヤ３２０を備えている。このカムギヤ３２０は、駆動モータ１１９の駆動力により回転操作されるとともに、ソレノイドプランジャ３０１の動作に応じて、各操作モードに応じた回転角度位置にて停止される。なお、この切換え機構は、シャーシ６と電子回路基板１０との間において構成されている。
【００５３】
駆動モータ１１９の駆動軸には、プーリ１４７が取り付けられている。このプーリ１４７には、無端状の駆動ベルト１２０が巻回されている。この駆動ベルト１２０は、シャーシ６の他方の主面側に回転可能に支持された伝達プーリ１４８及びフォワード側のフライホイール１５２に巻回されている。また、駆動ベルト１２０には、フォワード側のフライホイール１５２と対をなすリバース側のフライホイール１５１が接している。そして、伝達プーリ１４８は、シャーシ６の他方の主面側に植立された支軸１４９を介して回転可能に支持されている。
【００５４】
そして、各フライホイール１５２，１５１の中心部には、それぞれキャプスタン軸１７，１８が植立され、これらキャプスタン軸１７，１８の基端部側をシャーシ６に取り付けた軸受１５４，１５３に支持させることによってシャーシ６に回転可能に支持される。各フライホイール１５２，１５１にそれぞれ植立された第１及び第２のキャプスタン軸１７，１８は、各軸受１５４，１５３を介して、シャーシ１の一方の主面側に構成されたカセット装着部４側に突出されている。
【００５５】
各フライホイール１５２，１５１及びこれらフライホイール１５２，１５１に一体的に植立された各キャプスタン軸１７，１８は、駆動モータ１１９が回転駆動すると、各フライホイール１５２，１５１は、互いに逆方向に回転操作される。
【００５６】
フォワード側のフライホイール１５２のシャーシ６に対向する面側には、駆動ギヤ３１９が一体的に設けられている。この駆動ギヤ３１９は、シャーシ６の他方の主面側に植立された支軸１５９を介して回転可能に支持された第１の伝達ギヤ１５８に噛合している。この第１の伝達ギヤ１５８の中心部分には、この第１の伝達ギヤ１５８よりも小径のカム駆動ギヤ３７９が一体的に設けられている。
【００５７】
このカム駆動ギヤ３７９は、シャーシ６の他方の主面側に植立された支軸１９０により回転可能に支持されたカムギヤ３２０の外周部分に臨み、このカムギヤ３２０の外周縁部に形成されたギヤ部３２３に噛合し得るようになされている。
【００５８】
このテープレコーダにおける各操作モードの選択は、カムギヤ３２０の回転角度位置に応じて行われる。すなわち、シャーシ６の他方の主面には、カムギヤ３２０により移動操作される操作モード切換えレバー１１８が配設されている。この操作モード切換えレバー１１８は、長手方向を長径として穿設された長孔１９１，１８８を、シャーシ６に植立された支軸１９０，１８９を挿通支持させることによって、長孔１９１，１８８の範囲に亘って移動可能となされてシャーシ６上に配設されている。
【００５９】
操作モード切換えレバー１１８は、一端側にバネ当接片１８７が立上り形成され、このバネ当接片１８７の両側に、シャーシ６上に支持された捩りコイルバネ１８６の各アーム部がそれぞれ圧接している。この捩りコイルバネ１８６は、コイル部をシャーシ６に植立された支軸３１５に支持され、一対のアーム部が互いに逆向きの付勢力をもってバネ当接片１８７を両側から押圧支持することによって、操作モード切換えレバー１１８を中立位置に保持する。この操作モード切換えレバー１１８は、停止モード、早送りモード及び巻戻しモードが選択されている場合には、中立位置に保持される。そして、再生モード又は記録モードが選択された状態において、磁気テープ２０６が順方向に走行されるフォワードモードが選択されると、操作モード切換えレバー１１８は捩りコイルバネ１８６の付勢力に抗して、図８中矢印Ｔ１方向に移動操作され、磁気テープ２０６が逆方向に走行されるリバースモードが選択されると、図８中矢印Ｔ２方向に移動操作される。
【００６０】
また、カムギヤ３２０は、図１８及び図１９に示すように、外周面にギヤ部３２３が形成されるとともに、このギヤ部３２３間に第１及至第３の欠歯部３２５，３２４，３２６が形成されている。このカムギヤ３２０は、各欠歯部３２５，３２４，３２６のいずれかをカム駆動ギヤ３７９に対向させているときには、このカム駆動ギヤ３７９が回転しても、駆動力が伝達されず不作動状態に置かれる。そして、このカムギヤ３２０は、ギヤ部３２３をカム駆動ギヤ３７９に対向させているときには、このギヤ部３２３をカム駆動ギヤ３７９に噛合させており、このカム駆動ギヤ３７９が回転すると、駆動力が伝達されて回転操作される。
【００６１】
そして、カムギヤ３２０のシャーシ６の他方の主面と対向する一方の主面側には、図１８に示すように、操作モード切換えレバー１１８を捩りコイルバネ１８６の付勢力に抗して移動操作する第１のカム部３２１及び第２のカム部３２２が相対向して形成されている。第１のカム部３２１は、カムギヤ３２０を回転可能に支持する支軸１９０に対向する内周側の面を操作モード切換えレバー１１８に設けたカムフォロワ１９２が摺接する第１のカム面３２１ａとなし、第２のカム部３２２は、カムギヤ３２０の外周縁側に臨む外周側の面を操作モード切換えレバー１１８に設けたカムフォロワ１９２が摺接する第２のカム面３２２ａとしている。
【００６２】
なお、第１及び第２のカム部３２１，３２２に摺接するカムフォロワ１９２は、操作モード切換えレバー１１８のカムギヤ３２０とシャーシ６との間に延在された他端部に突設されている。
【００６３】
カムギヤ３２０は、図１０に示す初期位置に回転された状態にあるとき、カムフォロワ１９２を第１及び第２のカム部３２１，３２２の一端部間に構成されたカムフォロワ進入部３２０ａに位置させ、操作モード切換えレバー１１８を中立位置にさせておく。カムギヤ３２０が初期位置にあるとき、カム駆動ギヤ３７９が第１の欠歯部３２５に対向している。
【００６４】
カムギヤ３２０が図１０に示す初期位置から、図１８中矢印Ｒ１方向の時計回り方向に回転されると、カムフォロワ１９２がカムフォロワ進入部３２０ａから第１及び第２のカム部３２１，３２２間に進入し、第１のカム面３２１ａに摺接する。カムギヤ３２０が、さらに図１８中矢印Ｒ１方向に回転されていくと、カムフォロワ１９２は、第１のカム面３２１ａにガイドされて支軸１９０側に近接する方向に移動され、操作モード切換えレバー１１８が、捩りコイルバネ１８６の付勢力に抗して、図１１中矢印Ｂ１向に移動される。カムギヤ３２０が図１８中矢印Ｒ１方向に１３０°回転されると、カムフォロワ１９２を第１のカム面３２１ａの最大突出部３３８に摺接させ、操作モード切換えレバー１１８を図１１中矢印Ｂ１方向の最大移動位置まで移動させる。そして、カムギヤ３２０が図１８中矢印Ｒ１方向にさらに５°、すなわち初期位置から１３５°回転されると、カムフォロワ１９２が最大突出部３３８を乗り越え、最大突出部３３８に続く傾斜面部３３９に当接する。傾斜面部３３９にカムフォロワ１９２が当接すると、操作モード切換えレバー１１８は、捩りコイルバネ１８６の付勢力を受けて図１１中矢印Ｂ１方向に稍々復帰移動され、このテープレコーダの操作モードを磁気テープ２０６が順方向（フォワード方向）に定速走行して記録又は再生が行われるフォワード方向の記録再生モードに切り換える。このとき、このカムギヤ３２０の第２の欠歯部３２４に、カム駆動ギヤ３７９が対向させられる。
【００６５】
カムギヤ３２０が、操作モード切換えレバー１１８を図１１中矢印Ｂ１方向移動させフォワード方向の記録再生モードを選択した位置まで回転された位置からさらに図１８中矢印矢印Ｒ１方向に回転されると、カムフォロワ１９２は第１及び第２のカム部３２１，３２２の他端部間に構成されたカムフォロワ退出部３２０ｂに至り、第１及び第２のカム面３２１ａ，３２２ａのいずれにも接触しない状態となされる。カムギヤ３２０によるカムフォロワ１９２の押圧が解除されると、操作モード切換えレバー１１８は捩りコイルバネ１８６の付勢力を受けて中立位置に復帰される。この状態からさらにカムギヤ３２０が図１８中矢印Ｒ１方向に回転されていくと、カムフォロワ１９２は第２のカム面３２２ａに乗り上げていく。そして、カムギヤ３２０が初期位置から図１８中矢印Ｒ１方向にさらに回転されると、カムフォロワ１９２は、第２のカム面３２２ａにガイドされて支軸１９０から離間する方向に移動され、操作モード切換えレバー１１８が、捩りコイルバネ１８６の付勢力に抗して、図１２中矢印Ｂ１方向に移動される。カムギヤ３２０が図１８中矢印Ｒ１方向に１３０°回転されると、カムフォロワ１９２を第２のカム面３２２ａの最大突出部３４０に摺接させ、操作モード切換えレバー１１８を図１２中矢印Ｂ２方向の最大移動位置まで移動させる。そして、カムギヤ３２０が図１８中矢印Ｒ１方向にさらに５°、すなわち初期位置から２７０°回転されると、カムフォロワ１９２が最大突出部３４０を乗り越え、最大突出部３４０に続く傾斜面部３４１に当接する。傾斜面部３４１にカムフォロワ１９２が当接すると、操作モード切換えレバー１１８は、捩りコイルバネ１８６の付勢力を受けて図１２中矢印Ｂ１方向に稍々復帰移動され、このテープレコーダの操作モードを磁気テープ２０６が逆方向（リバース方向）に定速走行して記録又は再生が行われるリバース方向の記録再生モードに切り換える。このとき、このカムギヤ３２０の第３の欠歯部３２６に、カム駆動ギヤ３７９が対向させられる。
【００６６】
カムギヤ３２０が、操作モード切換えレバー１１８を図１１中矢印Ｂ２方向に移動させリバース方向の記録再生モードを選択した位置まで回転された位置からさらに図１８矢印Ｒ１方向に回転され、初期位置から３６０°回転されると、カムフォロワ１９２は第１及び第２のカム部３２１，３２２の一端部間に構成されたカムフォロワ進入部３２０ａに臨む初期位置に至る。そして、操作モード切換えレバー１１８は、捩りコイルバネ１８６の付勢力を受けて中立位置に復帰される。なお、操作モード切換えレバー１１８が初期位置にあるとき、このテープレコーダは、停止モード又は早送りモード及び巻戻しモードが選択される。
【００６７】
操作モード切換えレバー１１８を移動操作するカムギヤ３２０の他方の主面側には、図１９に示すように、ソレノイドプランジャ３０１のプランジャロッド３７７に一端を連結し、ソレノイドプランジャ３０１の駆動によって回動操作される回動レバー１９９の他端側に設けたカムフォロワ３８０が係合するカム溝３２７ａが形成されている。このカム溝３２７ａは、支軸１９０を中心にしてリング状に形成され、外周側の面を第３のカム面３２７となし、内周側の面を第４のカム面３２８としている。
【００６８】
ところで、カムフォロワ３８０をカム溝３２７ａに係合させた回動レバー１９９を回動操作するソレノイドプランジャ３０１は、図７、図８及び図１４乃至図１６に示すように、シャーシ６の他方の主面側に配設されている。このソレノイドプランジャ３０１は、不作動状態のＯＦＦ状態にあるとき、プランジャロッド３７７を引き込み方向に付勢し、通電が行われＯＮ状態となるとプランジャロッド３７７を突出させる。このソレノイドプランジャ３０１により回動操作される回動レバー１９９は、一端側をプランジャロッド３７７の先端に形成した係合部３７３に係合させ、他端側に突設したカムフォロワ３８０をカムギヤ３２０のカム溝３２７ａに係合させ、中途部をシャーシ６に植立した支軸２００を支持させることによって、この支軸２００を中心に回動可能に取付けられている。
【００６９】
また、シャーシ６の他方の主面側には、後述するテープ走行方向の切換えギヤ１８４を移動操作するためのギヤ移動レバー１７５が配設されている。このギヤ移動レバー１７５は、一端側部分をシャーシ６に植立された支軸１７６を介して回動可能に支持され、中途部に形成した当接片３７６を回動レバー１９９の中途部に設けた押圧片３７４に対向させている。また、ギヤ移動レバー１７５は、他端部を折曲して形成した係合片１８０をシャーシ６に穿設した回動規制溝１８１に係合させることによって回動範囲が規制されている。
【００７０】
ギヤ移動レバー１７５と回動レバー１９９とには、コイル部をシャーシ６に植立した支軸３７５に巻装しこの支軸３７５を中心に回動可能に支持された捩りコイルバネ３６８の各アーム部が係合されている。回動レバー１９９は、他端側に設けられた係合部３７０に捩りコイルバネ３６８の一方のアーム部が係合されることによって、他端側がソレノイドプランジャ３０１から離間する方向に回動付勢されている。また、ギヤ移動レバー１７５は、支軸１７６の近傍に設けられた係合片３６９に捩りコイルバネ３６８の他方のアーム部が係合されるとによって、当接片３７６を回動レバー１９９の押圧片３７４に接近させる方向に回動付勢されている。
【００７１】
捩りコイルバネ３６８は、ギヤ移動レバーの支軸１７６から当接片３７６までの距離が支軸１７６から係合片３６９までの距離より長く、また、回動レバー１９９の支軸２００より押圧片３７４までの距離が支軸２００より係合部３７０までの距離より短いため、回動レバー１９９に対し、ギヤ移動レバー１７５に生じる回転トルクより大きな回転トルクを生じさせる。
【００７２】
従って、捩りコイルバネ３６８は、図１５に示すように、ソレノイドプランジャ３０１に通電が行われＯＮ状態となるとプランジャロッド３７７が回動レバー１９９側に突出されたときには、回動レバー１９９の他端側をソレノイドプランジャ３０１から離間される図１５中矢印Ｃ１方向に回動させ、この回動レバー１９９の押圧片３７４をギヤ移動レバー１７５の当接片３７６に当接させ、ギヤ移動レバー１７５を捩りコイルバネ３６８の付勢力に抗して回動させる。このとき、回動レバー１９９の一端側に設けたカムフォロワ３８０がカムギヤ３２０の外周側の第４のカム面３２８に摺接した状態となされる。
【００７３】
また、ソレノイドプランジャ３０１への通電が遮断されたＯＦＦ状態にあって、プランジャロッド３７７が引き込まれた状態にあると、回動レバー１９９は、他端側がソレノイドプランジャ３０１に近接する図１５中矢印Ｃ２方向に回動され、一端側に設けたカムフォロワ３８０がカムギヤ３２０の第３のカム面３２７に摺接した状態となされる。
【００７４】
そして、カムギヤ３２０は、初期位置にあるとき、図１９に示すように、第３のカム面３２７に形成した第１の係止部３２９に回動レバー１９０に設けたカムフォロワ３８０が当接係合し、図１９中矢印Ｒ１方向への回転が規制されている。カムギヤ３２０が初期位置にあるとき、第１の欠歯部３２５にカム駆動ギヤ３７９が対向する。
【００７５】
そして、ソレノイドプランジャ３０１に通電が行われＯＮ状態となってプランジャロッド３７７が突出し、回動レバー１９９が図１５中矢印Ｃ１方向に回動操作されると、カムフォロワ３８０は、カムギヤ３２０の外周側に移動され、第１の係止部３２９への係合を解除し、カム溝３２７ａの外周側の第４のカム面３２８に形成した第１の傾斜面３３２に当接し、この第１の傾斜面３３２を押圧する。カムフォロワ３８０が第１の傾斜面３３２を押圧すると、カムギヤ３２０は、図１９中矢印Ｒ１方向にわずかに回動され、ギヤ部３２３がカム駆動ギヤ３７９に噛合する。そして、カムギヤ３２０は、カム駆動ギヤ３７９の駆動力が伝達され、このカム駆動ギヤ３７９によって図１９中矢印Ｒ１方向に回転可能な状態となされる。この状態から、カム駆動ギヤ３７９が駆動され、カムギヤ３２０が図１９中矢印Ｒ１方向にさらに回転操作され、第４のカム部３２８の第２の傾斜面３３３にカムフォロワ３８０を当接させる位置まで回転されると、ソレノイドプランジャ３０１への通電が遮断されＯＦＦ状態となされ、プランジャロッド３７７が引き込み方向に移動され、回動レバー１９９を図１５中矢印Ｃ２方向に回動させ、カムフォロワ３８０をカム溝３２７ａの内周側の第３のカム面３２７側に移動させる。
【００７６】
そして、カムギヤ３２０が初期位置から図１９中矢印Ｒ１方向に１３５°回転されると、カムフォロワ３８０は、第３のカム面３２７の第２の係止部３３０に係合され、このカムギヤ３２０の回転を規制する。このとき、カムギヤ３２０に対し、一方の主面側に形成した第１及び第２のカム部３２１，３２２にカムフォロワ１９２を当接させる操作モード切換えレバー１１８を付勢する捩りコイルバネ１８６の付勢力がカムフォロワ１９２及び第１のカム面３２１ａの傾斜面３３９を介して伝達される。そして、カムギヤ３２０は、図１９中矢印Ｒ１方向に回動付勢された状態に置かれる。このとき、このカムギヤ３２０の第２の欠歯部３２４に、カム駆動ギヤ３７９が対向している。
【００７７】
再び、ソレノイドプランジャ３０１に通電が行われＯＮ状態となると、回動レバー１９９が図１５中矢印Ｃ１方向に回動され、この回動レバー１９９に設けたカムフォロワ３８０がカムギヤ３２０の外周側に移動され、第２の係止部３３０に対する係合が解除される。そして、カムフォロワ３８０は、カム溝３２７ａの外周側に形成した第４のカム面３２８に形成した第３の傾斜面３３４を押圧するようになる。カムフォロワ３８０が第３の傾斜面３３４を押圧すると、カムフォロワ３８０からの押圧力を受けて、カムギヤ３２０は、図１９中矢印Ｒ１方向にわずかに回動され、このカムギヤ３２０のギヤ部３２３がカム駆動ギヤ３７９に噛合し、カム駆動ギヤ３７９の駆動力を受けて図１９中矢印Ｒ１方向に回転可能な状態となされる。この状態から、カム駆動ギヤ３７９が駆動され、カムギヤ３２０が図１９中矢印Ｒ１方向にさらに回転操作され、第４のカム部３２８の第４の傾斜面３３５にカムフォロワ３８０を当接させる位置まで回転されると、ソレノイドプランジャ３０１への通電が遮断されＯＦＦ状態となされ、プランジャロッド３７７が引き込み方向に移動され、回動レバー１９９を図１５中矢印Ｃ２方向に回動させ、カムフォロワ３８０をカム溝３２７ａの内周側の第３のカム面３２７側に移動させる。
【００７８】
そして、カムギヤ３２０が初期位置から図１９中矢印Ｒ１方向に２７０°回転されると、カムフォロワ３８０は、第３のカム面３２７の第３の係止部３３１に係合され、このカムギヤ３２０の回転を規制する。このとき、カムギヤ３２０に対し、操作モード切換えレバー１１８を付勢する捩りコイルバネ１８６の付勢力がカムフォロワ１９２及び第２のカム面３２２ａの傾斜面３４１を介して伝達される。そして、カムギヤ３２０は、図１９中矢印Ｒ１方向に回動付勢された状態に置かれる。このとき、このカムギヤ３２０の第３の欠歯部３２６に、カム駆動ギヤ３７９が対向している。
【００７９】
再び、ソレノイドプランジャ３０１に通電が行われＯＮ状態となると、回動レバー１９９が図１５中矢印Ｃ１方向に回動され、カムフォロワ３８０がカムギヤ３２０の外周側に移動され、第３の係止部３３１に対する係合が解除される。そして、カムフォロワ３８０は、カム溝３２７ａの外周側に形成した第４のカム面３２８に形成した第５の傾斜面３３６を押圧するようになる。カムフォロワ３８０が第５の傾斜面３３６を押圧すると、カムフォロワ３８０からの押圧力を受けて、カムギヤ３２０は、図１９中矢印Ｒ１方向にわずかに回動され、このカムギヤ３２０のギヤ部３２３がカム駆動ギヤ３７９に噛合し、カム駆動ギヤ３７９の駆動力を受けて図１９中矢印Ｒ１方向に回転可能な状態となされる。
【００８０】
この状態から、カム駆動ギヤ３７９が駆動され、カムギヤ３２０が図１９中矢印Ｒ１方向にさらに回転操作され、第４のカム部３２８の第６の傾斜面３３７にカムフォロワ３８０を当接させる位置まで回転されると、ソレノイドプランジャ３０１への通電が遮断されＯＦＦ状態となされ、プランジャロッド３７７が引き込み方向に移動され、回動レバー１９９を図１５中矢印Ｃ２方向に回動させ、カムフォロワ３８０をカム溝３２７ａの内周側の第３のカム面３２７側に移動させる。
【００８１】
そして、カムギヤ３２０が初期位置から図１９中矢印Ｒ１方向に３６０°、すなわち、初期位置に戻るまで回転されると、カムフォロワ３８０は、第３のカム面３２７の第１の係止部３２９に係合され、このカムギヤ３２０の回転を規制する。このとき、このカムギヤ３２０の第１の欠歯部３２５に、カム駆動ギヤ３７９が対向している。
【００８２】
ところで、操作モード切換えレバー１１８には、図１０乃至合う１３に示すように、シャーシ６に植立された支軸１２６を介して、シャーシ６上に回動可能に取り付けられたヘッド移動レバー３１３が連結されている。このヘッド移動レバー３１３は、操作モード切換えレバー１１８の移動に応じて回動操作される。すなわち、ヘッド移動レバー３１３は、操作モード切換えレバー１１８の近傍に位置して配設され、操作モード切換えレバー１１８の一側に対向する側に嵌合凹部３５５に操作モード切換えレバー１１８の一側に突設した略円形をなす嵌合突片３５４を嵌合させて連結されている。このヘッド移動レバー３１３は、操作モード切換えレバー１１８が移動操作されることによって、嵌合突片３５４を中心に回動操作される。そして、ヘッド移動レバー３１３が嵌合突片３５４を中心に回動操作されと、磁気ヘッド９が取り付けられたヘッド支持基板１３を移動させ、磁気ヘッド９をカセット装着部４に方向に移動させる。カセット装着部４側に移動された磁気ヘッド９は、カセット装着部４に装着されたテープカセット２０１の磁気ヘッド挿入穴２０７に進入し、テープカセット２０１内を走行する磁気テープ２０６に摺接する。
【００８３】
なお、ヘッド支持基板１３は、引張りバネ３１２により、磁気ヘッド９を上記カセット２０９より退出させる方向に常時付勢されている。
【００８４】
また、ヘッド支持基板１３には、ヘッド移動レバー３１３を挟むようにして、操作モード切換えレバー１１８側に向かって一対のアーム部１３ａ，１３ｂが延長され、これらアーム部１３ａ，１３ｂの先端にヘッド移動レバー３１３に対向する第１及び第２の押圧片３６２，３６３が形成されている。ヘッド支持基板１３は、ヘッド移動レバー３１３が支軸１２６を中心に回動操作されたとき、ヘッド移動レバー３１３の両側に形成された第１又は第２の押圧操作片３５７，３５９によって第１及び第２の押圧片３６２，３６３が押圧操作されて、カセット装着部４方向に移動操作される。すなわち、フォワードモードにおける記録再生モードにおいては、ヘッド移動レバー３１３が支軸１２６を中心にして図１１中反時計回り方向に回転し、図１１中右方に形成された第１の押圧操作片３５７がヘッド支持基板１３の第１の押圧片３６２を押圧する。また、逆方向再生モードにおいては、ヘッド移動レバー３１３が支軸１２６を中心にして図１２中時計回り方向に回転し、図１２中左方に形成された第２の押圧操作片３５９がヘッド支持基板１３の第２の押圧片３６３を押圧する。
【００８５】
また、シャーシ６の他方の主面側には、カセット装着部４側に移動された磁気ヘッド９をその移動位置に支持するヘッド位置決めレバー１１７がスライド可能に配設されている。このヘッド位置決めレバー１１７は、先端側をヘッド支持基板１３及びヘッド移動レバー３１３に臨ませ、ヘッド支持基板１３に対し近接離間する方向の図１０中矢印Ｑ１方向及びＱ２に移動可能にシャーシ６上に支持されている。また、ヘッド位置決めレバー１１７は、図９に示すようにシャーシ６に配設された捩りコイルバネ１９５により、先端側をヘッド支持基板１３に近接する図１０中矢印Ｑ１方向に付勢されている。なお、ヘッド位置決めレバー１１７は、図１１に示すように、先端部に形成した当接片３６５をヘッド移動レバー３１３上に植立した当接ピン３６４に当接させることによって捩りコイルバネ１９５による付勢位置が規制される。
【００８６】
また、ヘッド位置決めレバー１１７の先端部分には、ヘッド支持基板１３に形成した係止片３６６が選択的に係止する第１及び第２の係止段部１１５，１１６が階段状に形成されている。
【００８７】
本実施の形態のテープレコーダにおいては、このテープレコーダが停止モードにあって、磁気ヘッド９がカセット装着部４から退出した位置にあるときには、図１０に示すように、ヘッド支持基板１３はヘッド位置決めレバー１１７によって位置決めが行われない状態にある。すなわち、係止片３６６が、図１０に示すように、第１及び第２の係止段部１１５，１１６から離間した位置におかれている。
【００８８】
そして、本実施の形態のテープレコーダがフォワード方向又は逆方向の記録及び／又は再生モードが選択され、磁気ヘッド９がカセット装着部４側に進出され、このカセット装着部４に装着されたテープカセット２０１のヘッド挿入穴２０７に進入する位置に移動されると、図１１及び図１２に示すように、ヘッド支持基板１３に形成した係止片３６６が第１の係止段部１１５に係止し、磁気ヘッド９をカセット装着部４側に進出させた記録再生位置に位置決め保持する。このヘッド位置決めレバー１１７によるヘッド支持基板１３の位置決め保持の状態は、ヘッド位置決めレバー１１７が捩りコイルバネ１９５によって図１１中矢印Ｑ１方向に付勢されることにより維持され、また、ヘッド支持基板１３の位置決め保持の状態の解除は、ヘッド移動レバー３１３が回動し、ヘッド位置決めレバー１１７を捩りコイルバネ１９５の付勢力に抗して図１１中矢印Ｑ１方向に移動させることによって行われる。
【００８９】
また、本実施の形態のテープレコーダが磁気テープ２０６を定速走行させる記録再生モードが一端設定された後、停止モード、早送りモード、巻戻しモード、又は高速で磁気テープ２０６を走行させてこの磁気テープ２０６に記録された楽音信号である曲の検出を行う選曲モードが選択されたとき、ヘッド移動レバー３１３が初期位置に復帰することによって、ヘッド位置決めレバー１１７も初期位置に復帰するが、ヘッド支持基板１３に形成した係止片３６６は、図１３示すように、第２の係止部１１６に係止される。従って、このとき、磁気ヘッド９は、記録及び／又は再生位置よりは後退しているが、停止位置よりはヘッド装着部４側に進出した位置である待機位置に位置決め保持される。
【００９０】
また、ヘッド移動アーム３１３は、シャーシ６に回動可能に取り付けられた第１及び第２のピンチローラ回動操作レバー３０４，３０５を選択的に回動操作する。これらピンチローラ回動操作レバー３０４，３０５は、ヘッド支持基板１３上に取り付けられた磁気ヘッド９の両側に位置して配設され、ヘッド支持基板１３に植立した支軸３０６，３０７に中央部を支持させ、これら支軸３０６，３０７を中心に回動可能に取付けられている。
【００９１】
第１及び第２のピンチローラ回動操作レバー３０４，３０５のヘッド支持基板１３側に位置する一端側には当接片３１０，３１１が形成され、他端側には押圧操作片３０８，３０９が形成されている。これら押圧操作片３０８，３０９は、シャーシ６に開設された開口部３１４，３１４を介して、このシャーシ１の一方の主面側に構成されたカセット装着部４側に突出されている。
【００９２】
また、第１及び第２のキャプスタン１７，１８に選択的に接離する第１及び第２のピンチローラ１１，１２は、シャーシ６に植立された支軸１５５，１５５を介して回動可能に支持されたピンチローラ支持アーム１５７の一端側に回転自在に取付けられている。これら第１及び第２のピンチローラ１１，１２は、シャーシ６に植立された支軸１５５，１５５を介して回動可能に支持されたピンチローラ支持アーム１５７，１５７の一端側に回転自在に支持されている。これらピンチローラ支持アーム１５７，１５７は、支軸１５５，１５５に巻回された捩りコイルバネ１５６，１５６により、一端側に支持した第１及び第２のピンチローラ１１，１２がそれぞれ第１及び第２のキャプスタン軸１７，１８に圧接する方向に回動付勢されている。
【００９３】
そして、ヘッド移動レバー３１３は、操作モード切換えレバー１１８が移動操作されることによって回動操作され、第１又は第２の押圧操作片３５７，３５９が当接片３１０，３１１を押圧操作し、第１又は第２のピンチローラ回動操作レバー３０４，３０５を支軸３０６，３０７を中心にして回動操作する。第１又は第２のピンチローラ移動アーム３０４，３０５が回動操作されると、押圧操作片３０８，３０９が捩りコイルバネ１５６，１５６の一方のアーム部を第１又は第２のキャプスタン軸１７，１８側に押圧操作する。
本実施例のテープレコーダが、フォワードモードでの記録再生モードに設定されると、図１１に示すように、ヘッド移動レバー３１３の第２の押圧操作片３５９がフォワード側の第１のピンチローラ回動操作レバー３０５の当接片３１１を押圧操作する。また、リバースモードでの記録再生モードが設定されると、図１２に示すように、ヘッド移動レバー３１３の第１の押圧操作片３５７がリバース側の第２のピンチローラ回動操作レバー３０４の当接片３１０を押圧操作する。
【００９４】
なお、ヘッド移動レバー３１３には、図示しない操作モード検出スイッチが係合される係合ピン３６１，３６４が設けられている。この操作モード検出スイッチは、ヘッド移動レバー３１３がいずれの方向に回動されているかを検出し、本実施例のテープレコーダが、フォワードモードの記録再生モード、リバースモードの記録再生モード、及び停止モードのいずれの操作モードが選択されているかを検出する。
【００９５】
そして、フォワード側のフライホイール１５２に設けられた駆動ギヤ３１９に噛合し、駆動モータ１１９の駆動力が伝達される第１の伝達ギヤ１５８は、シャーシ６の他方の主面側に植立した支軸１６３に回転可能に支持された第２の伝達ギヤ１６０に噛合している。この第２の伝達ギヤ１６０には、図７に示すように、摩擦部材１６１を介してクラッチギヤ１６２が同軸に取付けられている。このクラッチギヤ１６２は、第２の伝達ギヤ１６０が回転すると、この第２の伝達ギヤ１６０との間に介在された摩擦部材１６１の摩擦力を介して駆動力が伝達されて回転操作される。
【００９６】
クラッチギヤ１６２には、第２の伝達ギヤ１６０を支持する支軸１６３を中心に揺動する揺動レバー１９８の先端に植立された支軸１６５に回転自在に支持された揺動ギヤ１６４が噛合している。この揺動ギヤ１６４は、揺動レバー１９８が支軸１６５を中心に回動されると、クラッチギヤ１６２の周囲を回動する。
【００９７】
揺動レバー１９８は、図１１に示すように、両側に一対のアーム部を突設し、これらアーム部の先端に、操作モード切換えレバー１１８の他側に形成した第１及び第２の押圧操作片３５２，３５３にそれぞれ当接する第１及び第２の当接片３５０，３５１が形成されている。そして、フォワードモードでの記録再生モードが選択され、操作モード切換えレバー１１８が、図１１中矢印Ｂ１方向にスライドされると、第２の押圧操作片３５３が第２の第２の当接片３５１を押圧し、揺動レバー１９８を支軸１６３を中心にして図１１中矢印Ｄ１方向に回動させる。また、リバースモードでの記録再生モードが選択され、操作モード切換えレバー１１８が、図１１中矢印Ｂ２方向にスライドされると、第１の押圧操作片３５２が第１の第２の当接片３５０を押圧し、揺動レバー１９８を支軸１６３を中心にして図１２中矢印Ｄ２方向に回動させる。
【００９８】
本実施の形態のテープレコーダが、フォワードモードでの記録再生モードに設定されると、揺動ギヤ１６４は、シャーシ６に植立された支軸１７２を介して回転可能に支持された第３の伝達ギヤ１７１に噛合する。この第３の伝達ギヤ１７１は、シャーシ６に植立された支軸１７４に回転可能に支持された第４の伝達ギヤ１７３に噛合している。この第４の伝達ギヤ１７３は、テープ巻取り側のリバース駆動軸１９のシャーシ６の他方の主面側に突出した基端部に取り付けられた第１のリールギヤであるテープ巻取り側のリールギヤ３０２に噛合している。すなわち、フォワードモードでの記録再生モードにおいては、駆動モータ１１９の駆動力がクラッチギヤ１６２を介してテープ巻取り側のリール駆動軸１９に伝達され、このリール駆動軸１９は、クラッチギヤ１６２に伝達される回転トルクを上限とする回転トルクで回転操作される。
【００９９】
また、本実施の形態のテープレコーダが、リバースモードでの記録再生モードに設定されると、揺動ギヤ１６４は、シャーシ６に植立された支軸１６７を介して回転可能に支持された第５の伝達ギヤ１６６に噛合する。この第５の伝達ギヤ１６６は、テープ供給側のリール駆動軸２０のシャーシ６の他方の主面側に突出した基端部に取り付けられた第２のリールギヤであるテープ供給側のリールギヤ１６９に噛合している。すなわち、リバースモードでの記録再生モードにおいては、駆動モータ１１９の駆動力がクラッチギヤ１６２を介してテープ供給側のリール駆動軸２０に伝達され、このリール駆動軸２０は、クラッチギヤ１６２に伝達される回転トルクを上限とする回転トルクで回転操作される。
【０１００】
なお、第５の伝達ギヤ１６６には、光学的センサによってこの第５の伝達ギヤ１６６の回転速度を検出するための速度検出板１６８が取付けられている。
【０１０１】
そして、ギヤ移動レバー１７５の他端側の近傍には、テープ走行方向を切り換える切換えギヤ１８４を回転可能に支持したギヤ支持レバー１８３が配設されている。このギヤ支持レバー１８３は、基端側に長孔を有し、この長孔に上記シャーシ６に植立された支軸１８２が挿通されて、回動及びスライドが可能に支持されている。このギヤ支持レバー１８３の先端側には、支軸１８５を介して切換えギヤ１８４が回転可能に支持されている。また、ギヤ移動レバー１７５の他端側には、切換えギヤ１８４を支持する支軸１８５が挿通される円弧状の溝１７８が形成されている。
【０１０２】
なお、切換えギヤ１８４は、ギヤ移動レバー１７５の回動によって、第２の伝達ギヤ１６０に対して接離される。
【０１０３】
また、このギヤ移動レバー１７５には、図８及び図９に示すように、溝１７８の一側縁に臨むようにして、第２の伝達ギヤ１６０の外周縁に対向するラックギヤ１７９が設けられている。このラックギヤ１７９は、溝１７８よりも短い範囲に亘って設けられている。従って、切換えギヤ１８４を支持する支軸１８５が溝１７８にガイドされて移動するとき、ラックギヤ１７９に切換えギヤ１８４が噛合する。支軸１８５が溝１７８の両端部分に位置するときには、切換えギヤ１８４は、ラックギヤ１７９より外れる。
【０１０４】
そして、ギヤ移動レバー１７５と操作モード切換えレバー１１８との間には、図１０に示すように、ギヤ移動レバー１７５の移動を規制する移動規制レバー１９７が配設されている。この移動規制レバー１９７は、一対の長孔３４４，３４６を有し、これら長孔３４４，３４６にシャーシ６に植立した支軸３４３，３４５を挿通させることにより、ギヤ移動レバー１７５と操作モード切換えレバー１１８との間に亘る方向に移動可能に支持されている。この移動規制レバー１９７のギヤ移動レバー１７５に臨む側の端部は、図１４に示すように、ギヤ移動レバー１７５に形成された第１の当接片３４７に当接する押圧操作片３７２が形成されている。また、移動規制レバー１９７の操作モード切換えレバー１１８に臨む側の端部には、中央部分が凹状部となされた第２の当接片３４８が設けられている。操作モード切換えレバー１１８の第２の当接片３４８に対向する部分には、この当接片３４８の凹状部に係合する係合突片３４９が設けられている。
【０１０５】
そして、本実施の形態のテープレコーダが、初期状態である停止モードにあるときには、図１４及び図１７に示すように、ソレノイドプランジャ３０１のプランジャロッド３７７は引き込み位置にあるので、ギヤ移動レバー１７５は、捩りコイルバネ３６８の付勢力を受けて回動付勢されて、テープ走行方向の切換えギヤ１８４を第２の伝達ギヤ１６０側に移動させて互いに噛合させている。この停止モードにおいて、切換えギヤ１８４は、支軸１８５が溝１７８のいずれかの端部に位置するときには、第５の伝達ギヤ１６６及び第４の伝達ギヤ１７３のいずれかに噛合する。
【０１０６】
停止モードにおいて、第２の伝達ギヤ１６０が、図１７中矢印Ｅ１方向又はＥ２方向に回転すると、切換えギヤ１８４は、第２の伝達ギヤ１６０の回転方向に応じて、この第２の伝達ギヤ１６０に噛合した状態を維持して、この第２の伝達ギヤ１６０の回りを図１７中矢印Ｆ１方向又はＦ２方向に移動操作される。すなわち、切換えギヤ１８４が第４及び第５の伝達ギヤ１７３，１６６のいずれか一方に噛合しているときに、第２の伝達ギヤ１６０が切換えギヤ１８４への噛合部分をいずれか一方の伝達ギヤ１７３又は１６６に向かわせる方向に回転されたときには、切換えギヤ１８４は、いずれか一方の伝達ギヤ１７３又は１６６に食い込む方向に回転されているため、一方のギヤに対する噛合状態を維持をして保持して、この一方のギヤを回転させる。切換えギヤ１８４が第４の伝達ギヤ１７３に噛合してこの第４の伝達ギヤ１７３を回転させると、テープ巻取り側のリールギヤ３０２が回転操作される早送りモードが設定される。切換えギヤ１８４が第５の伝達ギヤ１６６に噛合してこの第５の伝達ギヤ１６６を回転させると、テープ供給側のリールギヤ１６９が回転操作される巻戻しモードが設定される。
【０１０７】
そして、切換えギヤ１８４が第４及び第５の伝達ギヤ１７３，１６６のうちの一方に噛合しているときに、第２の伝達ギヤ１６０が切換えギヤ１８４への噛合部分をこれら第４及び第５の伝達ギヤ１７３，１６６のうちの他方のギヤに向かわせる方向に回転されたときには、切換えギヤ１８４は、他方の伝達ギヤ１７３，１６６より逃げる方向に回転されるため、一方のギヤ伝達ギヤ１７３，１６６が有する負荷により、この一方のギヤに対する噛合を保持できなくなる。従って、切換えギヤ１８４は、一方のギヤより離間する方向に、ギヤ支持レバー１８３を回動させる。ギヤ支持レバー１８３が第４及び第５の伝達ギヤ１７３，１６６のうちの一方より離れる方向に少しでも回動されると、切換えギヤ１８４は、ラックギヤ１７９に噛合する。従って、切換えギヤ１８４は、第２の伝達ギヤ１６０とラックギヤ１７９とに噛合した状態となり、第２の伝達ギヤ１６０の回転方向に応じて、第４及び第５の伝達ギヤ１７３，１６６のうちの他方のギヤに噛合するまで移動される。
【０１０８】
そして、切換えギヤ１８４が第４及び第５の伝達ギヤ１７３，１６６のいずれにも噛合していないときには、この切換えギヤ１８４は、ラックギヤ１７９に噛合する状態となり、第２の伝達ギヤ１６０が回転されると、この第２の伝達ギヤ１６０の回転方向に応じて、第４及び第５の伝達ギヤ１７３，１６６のいずれかのギヤに噛合するまで移動される。
【０１０９】
すなわち、本実施例のテープレコーダは、停止モードが設定された状態で、駆動モータ１１９が正転又は逆転駆動することにより、早送りモード又は巻戻しモードが実行される。
【０１１０】
そして、本実施例のテープレコーダは、フォワードモード又はリバースモードにおいて記録再生モードが選択されると、ソレノイドプランジャ３０１がＯＮされ、プランジャロッド３７７が図１５中矢印Ｋ１方向に突出し、回動レバー１９９が捩りコイルバネ３６８の付勢力を受けて図１５中矢印Ｃ１方向に回動され、ギヤ移動レバー１７５を捩りコイルバネ３６８の付勢力に抗して図１５中矢印Ｌ１方向に回動させる。このギヤ移動レバー１７５の回動によって、切換えギヤ１８４は第２の伝達ギヤ１６０から離間される。
【０１１１】
すなわち、このテープレコーダにおいては、ソレノイドプランジャ３０１がＯＮ状態とされたとき、切換えギヤ１８４は、カムギヤ３２０が回転操作される前に第２の伝達ギヤ１６０より離間される。
【０１１２】
そして、カムギヤ３２０が回転操作されて、フォワードモード又はリバースモードでの記録再生モードが設定されるときには、カムギヤ３２０の回転によって、回動レバー１９９が図１６中矢印Ｌ２方向に回動されて初期位置に復帰し、ソレノイドプランジャ３０１がＯＦＦ状態となってプランジャロッド３７７が図１６中矢印Ｋ２方向に移動され、操作モード切換えレバー１１８が図１６中矢印Ｎ１方向に移動操作される。
【０１１３】
記録再生モードが設定され、回動レバー１９９が初期位置に戻ることにより、ギヤ移動レバー１７５は、捩りコイルバネ３６８の付勢力を受けて切換えギヤ１８４を第２の伝達ギヤ１６０に噛合させる図１６中矢印Ｌ２方向の初期位置方向に回動付勢されるが、移動規制レバー１９７により初期位置方向への回動が規制される。すなわち、移動規制レバー１９７は、操作モード切換えレバー１１８が捩りコイルバネ１８６により支持され中立位置にある状態から図１４中矢印Ｎ１方向又は矢印Ｎ２方向に移動操作されると、図１６に示すように、係合突片３４９を第２の当接片３４８の凹状部３４８ａから離脱した位置に当接させ、図１６中矢印Ｍ１方向に移動される。この移動規制レバー１９７は、第１の当接片３４７をギヤ移動レバー１７５の押圧操作片３７２に当接させることにより、切換えギヤ１８４が第２の伝達ギヤ１６０から離間した位置に位置するようにギヤ移動レバー１７５の位置を保持する。
【０１１４】
すなわち、本実施の形態のテープレコーダにおいては、フォワードモード又はリバースモードにおいて記録再生モードが設定されると、切換えギヤ１８４は第２の伝達ギヤ１６０より離間される。この切換えギヤ１８４は、操作モード切換えレバー１１８が中立位置にあり、回動レバー１９９が初期位置にあるときに、第２の伝達ギヤ１６０に対して押圧されることによりこの第２の伝達ギヤ１６０に再び噛合する。
〔５〕蓋ロック機構
次に、カセット装着部４を開閉する蓋体５を閉塞位置にロックする蓋ロック機構について説明する。
【０１１５】
この蓋ロック機構は、蓋体５を支持するヒンジ部が配設されるレコーダ本体１一方の短辺と対向する他方の短辺側、すなわち、蓋体５の開放端に対向する位置に配設されている。この蓋ロック機構は、図７乃至図９、図２３、図２５及び図２６に示すように、イジェクト操作レバー１０８と、蓋体５に係合するロックレバー２３とから構成されている。イジェクト操作レバー１０８は、移動方向を長径とした一対の長孔１３２，１３３をシャーシ６に植立したスライドガイドピン１２４，１２３に挿通させてシャーシ６上に配設されることにより、長孔１３２，１３３の範囲で、図２３中矢印Ｆ１方向及び矢印Ｆ２方向に移動可能となされている。このイジェクト操作レバー１０８のレコーダ本体１の短辺から外方に臨む一端側には、押圧操作片２２が折曲形成されている。
【０１１６】
また、イジェクト操作レバー１０８は、図８及び図９に示すように、このイジェクト操作レバー１０８に形成されたバネ支持部１４５にコイル部を支持され、一方のアーム部１０９ａをシャーシ６に形成されたバネ係止片１４６に係止させ、他方のアーム部１０９ｂをイジェクト操作レバー１０８に形成したバネ係止片１０８ａに係止させて取り付けられた捩りコイルバネ１０９により図２３中矢印Ｆ２方向のレコーダ本体１から突出する方向に移動付勢されている。そして、イジェクト操作レバー１０８は、押圧操作片２２が押圧操作されることにより、捩りコイルバネ１０９の付勢力に抗して図２３中矢印Ｆ１方向のレコーダ本体１の内方に移動操作される  なお、イジェクト操作レバー１０８の押圧操作片２２は、外フレーム３に取り付けられたイジェクト釦７３を介して押圧操作される。
【０１１７】
イジェクト操作レバー１０８を付勢する捩りコイルバネ１０９の他方のアーム部１０９ｂは、イジェクト操作レバー１０８に形成したバネ係止片１０８ａからさらに延長され、シャーシ６に植立した支軸１１１を介して回動可能に取り付けられたイジェクトレバー１１０の一端に形成した係合片３４２に係合されている。
【０１１８】
そして、イジェクトレバー１１０は、イジェクト釦７３を介して押圧操作片２２が押圧操作され、イジェクト操作レバー１０８が捩りコイルバネ１０９の付勢力に抗して図８中矢印Ｆ１方向に移動されると、捩りコイルバネ１０９の他方のアーム部１０９ｂによって押圧され、支軸１１１を中心にして図９中矢印Ｇ１方向に回動操作される。
【０１１９】
また、ロックレバー２３は、図６、図２５及び図２６に示すように、シャーシ６の短辺に沿う側板２にスライド可能に取付けられている。このロックレバー２３は、図２５及び図２６に示すように、側板７に植立した一対の支持ピン１０１，１０２に第１及び第２の長孔１０３，１０４を挿通させ、図２５及び図２６中矢印Ｈ１方向及び矢印Ｈ２方向に上記側板７上に移動可能に支持されている。このロックレバー２３は、側板７との間に介在された圧縮コイルバネ１３７により、ロック片２４が係合部１００に係合する方向に図２５及び図２６中矢印矢Ｈ１方向に移動付勢されている。また、ロックレバー２３には、蓋体５の開放端側に設けられた係合部１００に相対係合するロック片２４が形成されている。そして、このロックレバー２３は、ロック片２４が係合部１００に係合することによって蓋体５を閉塞位置にロックする。
【０１２０】
ところで、ロックレバー２３に形成した第１の長孔１０３は、図２５及び図２６に示すように、シャーシ６の主面に対し傾斜して形成されているので、ロックレバー２３は、ロック片２４を係合部１００に対し係脱する方向にスライドされるとき、第２の長孔１０４に挿通された支持ピン１０２を中心に回動するようにして図２５及び図２６中矢印Ｈ１方向及び矢印Ｈ２方向に移動する。従って、ロック片２４と係合部１００とを係脱させるときのロックレバー２３の移動量を小さくすることができ、蓋ロック機構の小型化が実現される。
【０１２１】
なお、蓋体５側に設けられる係合部１００は、蓋体５の先端部に取付けられる合成樹脂や金属板によって形成された飾り板５ａの一部に一体的に形成されている。
【０１２２】
また、ロックレバー２３の一端部には、イジェクトレバー１１０に形成した押圧操作片１４４に対向する押圧片１４３が突設されている。そして、ロック片２４を係合部１００に係合させ、シャーシ６の一方の主面側に構成されたカセット装着部４を閉塞する位置に蓋体５をロックしたロックレバー２３は、イジェクト操作レバー１０８が捩りコイルバネ１０９の付勢力に抗して図８中矢印Ｆ１方向に移動操作され、イジェクトレバー１１０が図９中矢印Ｇ１方向に回動されると、イジェクトレバー１１０に形成した押圧操作片１４４を介して押圧片１４３が押圧操作される。押圧片１４３が押圧操作されることにより、ロックレバー２３は、圧縮コイルバネ１３７の付勢力に抗して図２５中矢印Ｈ２方向に移動され、ロック片２４の係合部１００に対する係合を解除させ、蓋体５を開放可能な状態となす。
【０１２３】
ところで、ロックレバー２３は、記録及び／又は再生モードが選択された状態にあるときには、イジェクト操作レバー１０８が移動操作されても、操作モードの切換え機構を構成する操作モード切換えレバー１１８により移動が規制され、ロック片２４と係合部１００との係合状態が維持され、蓋体５の開放操作が規制される。すなわち、操作モード切換えレバー１１８の他端部には、図７及び図８に示すように、イジェクトレバー１１０の一側に臨んで、回動規制片１２２が形成され、このイジェクトレバー１１０の支軸１１１を中心とした図８及び図９中矢印Ｇ１方向のイジェクト方向に回動を規制するようにしている。
【０１２４】
そして、本実施の形態のテープレコーダが記録再生モードに設定され、操作モード切換えレバー１１８が捩りコイルバネ１８６の付勢力に抗して、図１１及び図１２中矢印Ｂ１方向又はＢ２方向に移動された状態に置かれると、回動規制片１２２がイジェクトレバー１１０の一側に対向し、このイジェクトレバー１１０の図１１及び図１２中矢印Ｇ１方向の回動を規制してイジェクト操作を禁止する。イジェクトレバー１１０の回動が規制されることによって、ロックレバー２３の移動も規制され、蓋体５の開放操作が規制される。
【０１２５】
また、本実施の形態のテープレコーダが、停止モード、早送りモード、巻戻しモードあるいは選曲モードのいずれかの操作モードに設定された場合には、操作モード切換えレバー１１８は、前述したように捩りコイルバネ１８６の付勢力を受けて中立位置に置かれる。このとき、操作モード切換えレバー１１８に形成した回動規制片１２２は、イジェクトレバー１１０の一側に形成した切欠き部１２１に対向し、イジェクトレバー１１０の図１１及び図１２中矢印Ｇ１方向の回動を許容し、イジェクト操作を可能となす。
【０１２６】
なお、イジェクトレバー１１０の回動が規制された状態で、イジェクト操作レバー１０８が押圧操作された場合には、捩りコイルバネ１０９が弾性変位されて押圧力を吸収し、イジェクトレバー１１に大きな負荷か加わることを規制している。
【０１２７】
そして、カセット装着部４を閉塞した閉塞位置にある蓋体５の開放操作を行うため、イジェクト操作レバー１０８を押圧操作してイジェクトレバー１１０の図１１及び図１２中矢印Ｇ１方向の回動操作が行われるとき、磁気ヘッド９は、蓋体５が開放方向に回動を開始する前に、カセットホルダ８に保持されたテープカセット２０１に接触しないカセット装着部４から退出した位置に移動される。すなわち、イジェクトレバー１１０には、図８及び図９に示すように、ヘッド位置決めレバー１１７の後端側部分に設けられた係合孔１１３に係合された係合ピン１１２が設けられている。そして、イジェクトレバー１１０は、捩りコイルバネ１０９を介してイジェクト操作レバー１０８により回動されると、係合ピン１１２を介して、ヘッド位置決めレバー１１７を後退させ、このヘッド位置決めレバー１１７のヘッド支持基板１３に対する係合を解除させる。
【０１２８】
蓋体５の開放操作は、図２２に示すように、ロックレバー２３によるロックが解除されたときに、引張りバネ６４及びバネ１３８の付勢力によりなされる。そして、蓋体５の開放操作の開始と、磁気ヘッド９のカセット装着部４からの退出位置への後退のタイミングとは、イジェクトレバー１１０の形状と、このイジェクトレバー１１０、ロックレバー２３及び操作モード切換えレバー１１８の位置関係によって規定される。
【０１２９】
なお、蓋ロック機構を操作し、蓋体５の開閉操作を行うイジェクト操作釦７３は、図２乃至図５及び図２４に示すように、蓋体５を回動可能に支持するレコーダ本体１の一方の短辺に対向する他方の短辺に臨む正面に配設されている。また、イジェクト操作釦７３が配設されたレコーダ本体１の正面側には、図２４に示すように、磁気テープ２０６の走行方向を切り換えるフォワード及びリバース切換えスイッチ１３５，記録再生方式の切換えスイッチ１３６及び再生音量の調整用のボリュウム１３４が配設されている。
〔６〕カセットホルダ
次に、カセット装着部４にテープカセット２０１を装着操作するとともに、このテープカセット２０１をカセット装着部４に保持させるカセット保持機構を構成するカセットホルダ８を説明する。
【０１３０】
このカセット保持機構を構成するカセットホルダ８は、図６、図２０、図２１及び図２３に示すように、基端側の両側に設けた左右一対の支軸３４を、側板７一方の短辺側の両側に形成した左右一対の支持片２６に穿設した挿通孔２７に挿通させることにより、支軸３４を回動中心にして回動可能に一対の支持片２６に支持されている。支持片２６には、図２８に示すように、カセットホルダ８の支軸３４を中心にした回動範囲を規制する規制片３０が突設されている。この規制片３０は、カセットホルダ８の基端側に支軸３４を中心とする円弧状に形成された回動範囲規制溝３２に係合され、カセットホルダ８の回動範囲を規制している。
【０１３１】
このカセットホルダ８は、ここに挿入されるテープカセット２０１の平面形状に対応して長方形状に形成されてなるものであって、相対向する一対の長辺側には、断面Ｌ字状をなすように折曲された第１及び第２のカセット保持部６０，６１がそれぞれ形成されている。そして、カセットホルダ８は、相対向する一対の短辺側の一方、すなわち、基端部側に支軸３４を突設し、この支軸３４を支持片２６に支持させてレコーダホルダ１に回動可能に取付けられている。このカセットホルダ８の他方の短辺、すなわち先端側には、カセット挿脱口が構成されている。
【０１３２】
そして、テープカセット２０１は、相対向する一対の短辺側の一方を挿入端として、カセット挿脱口を介してカセットホルダ８に挿脱される。カセットホルダ８に挿入されたテープカセット２０１は、第１及び第２のカセット保持部６０，６１間に保持される。このカセットホルダ８のテープカセット２０１の相対向する一対の長辺の他方である磁気ヘッド挿入穴２０６等が形成された前面側に対向する背面側を支持する第２のカセット保持部６１のテープカセット２０１が挿入される内方側には、カセット保持体５８が配設されている。このカセット保持体５８は、薄い金属板を断面コ字状をなすように折曲して形成され、カセットホルダ８に対するテープカセット２０１の挿脱範囲の略全長に亘ってテープカセット２０１を保持する長さを有するように形成されている。
【０１３３】
また、カセット保持体５８は、図２２に示すように、中途部を支軸５９を介して第２のカセット保持部６１に支持されることによって、第２のカセット保持部６１に対し支軸５９を中心に揺動可能となされている。このカセット保持体５８は、カセットホルダ８に対するテープカセット２０１の挿脱範囲に亘る長さを有することから、テープカセット２０１のカセットホルダ８に対する確実な挿脱操作を可能となす。さらに、カセット保持体５８は、カセットホルダ８に保持されたテープカセット２０１をカセット装着部４に装着操作させる際、支軸５９を中心に揺動することによって、カセットホルダ８に保持されたテープカセット２０１の姿勢を制御して、位置決めピン１５，１６やキャプスタン軸１７，１８等が確実にテープカセット２０１に挿通するようにしている。
【０１３４】
そして、蓋体５は、基端側の両側を、カセットホルダ８の基端側の両側に突設した左右一対の支軸３５に枢支させることによって、カセットホルダ８に対し回動可能に取付けられている。なお、支軸３５の先端には止めネジ７２が螺合され、蓋体５の支軸３５からの抜け止めを図っている。また、蓋体５の相対向する一対の長辺側には、カセット装着部４を開放する方向に回動操作されるとき、この回動操作に追随してカセットホルダ８の回動を可能となすため、カセットホルダ８に係合する係合爪が設けられている。また、この係合爪は、蓋体５のカセットホルダ８に対する回動範囲を規制している。この蓋体５のカセットホルダ８に対する回動可能範囲は、数度〜１０度以下である。
【０１３５】
さらに、カセットホルダ８の上面側には、第１及び第２の板バネ５１，５２が取り付けられている。第１の板バネ５１には、カセットホルダ８の基端部側に取り付け、カセットホルダ８に穿設した透孔１３０を介してカセットホルダ８の内方に突出するカセット押圧片５１ａが設けられている。また、第２の板バネ５２は、カセットホルダ８の先端側に取り付けられ、カセットホルダ８に穿設した透孔１２８を介してカセットホルダ８の内方に突出するカセット押圧片５４が設けられている。これら第１及び第２の板バネ５１，５２の各カセット押圧片５１ａ，５４は、カセットホルダ８に挿入された保持されたテープカセット２０１がカセットホルダ８とともにカセット装着部４側に回動され、このカセット装着部４に装着されたとき、テープカセット２０１の平面を押圧支持する。テープカセット２０１は、カセット押圧片５１ａ，５４により押圧支持されることにより、カセット装着部４に位置決めが図られて装着された状態が維持される。
【０１３６】
また、第２の板バネ５２には、カセット押圧片５４に加えて、カセットホルダ８上に重ね合わせて配設される蓋体５側に突出する蓋押圧片５３が設けられている。この蓋押圧片５３は、蓋体５をカセットホルダ８に対し弾性付勢することによって、蓋体５がカセット装着部４を開放する方向に回動されるとき、カセットホルダ８を蓋体５から離間させる。
【０１３７】
さらに、蓋体５は、カセット装着部４を開放する方向に回動付勢されてレコーダ本体１に取付けられている。蓋体５の一方の長辺側の内側面には、図２２に示すように、基端部を蓋体５を回動可能に支持するカセットホルダ８に設けた一方の支軸３５に枢支させた固定アーム６６が取付けられている。この固定アーム６６の先端部には、支軸６７を介して、連結アーム６５の基端側が回動可能に支持されている。この連結アーム６５の先端側には、支軸６８を介して、回動アーム６２の一端側が回動可能に支持されている。この回動アーム６２は、中央部分を、支軸６９を介して、側板７に回動可能に支持されており、他端側にバネ係止部６３が形成されている。このバネ係止部６３と側板７に形成したバネ係止爪１２７との間には、引張りバネ６４が張設されている。この引張りバネ６４は、回動アーム６２を、この回動アーム６２の連結アーム６５への支持側である一端側がカセット装着部４側から離間する方向の図２２中矢印Ｐ１方向に回動付勢し、蓋体５を図２２中矢印Ｊ１方向の開放方向に回動付勢している。なお、固定アーム６６は、ネジ７０により蓋体５に固定されている。
【０１３８】
また、蓋体５には、図２に示すように、カセット装着部４に装着されたテープカセット２０１の一部を外方に透視させるための窓７１が設けられている。
【０１３９】
また、シャーシ６には、蓋体５の基端側の側面を押圧し、この蓋体５を図２２中矢印Ｊ１方向の開放方向に付勢する板バネ１３８が取付けられている。この板バネ１３８は、蓋体５がシャーシ６に対して所定の角度以上開放側に回動されると、この蓋体５により離間されてしまうので、蓋体５の開放操作時の初期においてのみ回動付勢する。
【０１４０】
カセットホルダ８には、カセット排出レバー４４がスライド可能に取付けられている。このカセット排出レバー４４は、図６及び図２０に示すように、平板状に形成され、スライド方向を長径としたスライドガイド溝４８，４９が穿設され、これらスライドガイド溝４８，４９に、カセットホルダ８に植立された支持ピン４２，４３を挿通支持させることによって、スライドガイド溝４８，４９の範囲で図２２中矢印Ｓ１方向及びＳ２方向にスライド可能となされてカセットホルダ８に取付けられている。カセット排出レバー４４の基端部には、カセットホルダ８に挿入されるテープカセット２０１によって押圧されることにより、このカセット排出レバー２０１を移動操作させる移動部となるとともに、カセットホルダ８に保持されているテープカセット２０１の上記カセットホルダ８に対する挿入端側の端面を押圧操作する押圧操作片５７が形成されている。この押圧操作片５７は、カセットホルダ８の基端部側に臨み、カセット装着部４側に折曲されている。そして、カセット排出レバー４４は、中途部に折曲形成したバネ係止片４５とカセットホルダ８に設けたバネ係止片４７との間に張設された引張りバネ４６により、カセットホルダ８に保持されているテープカセット２０１をカセットホルダ８より排出させる方向の図２０中矢印Ｓ１方向に付勢されている。
【０１４１】
カセット排出レバー４４は、カセットホルダ８にテープカセット２０１が挿入操作されるときには、テープカセット２０１の挿入側の端面によってに押圧操作片５７が押圧操作されることにより、引張りバネ４６の付勢力に抗して図２０中矢印Ｓ２方向に移動される。
【０１４２】
また、カセット排出レバー４４は、蓋体５が開放操作され、カセットホルダ８がカセット装着部４から離間する方向に回動されると、引張りバネ４６の付勢力を受けて図２０中矢印Ｓ１方向に移動し、押圧操作片５７によりテープカセットの２０１の挿入側の端面を押圧し、このテープカセット２１０をカセットホルダ８から排出する方向に突出させる。
【０１４３】
そして、蓋体５を回動可能に支持する支軸３５の近傍には、図２８に示すように、カセットホルダ８にテープカセット２０１が挿入されたときに、カセット排出レバー４４をカセットホルダ８から退避した位置にロックするロック機構が設けられている。すなわち、ロック機構は、カセット排出レバー４４を、引張りバネ４６の付勢力に抗して、カセットホルダ８に挿入保持されたテープカセット２０１を押圧操作しない位置に保持しておくものである。このロック機構は、蓋体５を回動可能に支持している支軸３５に基端側に形成した挿通孔３７を挿通させ、この支軸３５を中心に回動可能に取り付けられたロックレバー３６を備えている。このロックレバー３６は、蓋体５及びカセットホルダ８の内面側に位置し、カセット装着部４の内方に向かって延在されている。ロックレバー３６は、蓋体５の内面側に対向す面に形成された第１の係止部３８と、シャーシ６に対し上方に向かって突出するように形成された第２の係止部３９とが形成されている。
【０１４４】
ロックレバー３６は、支軸３５に巻装された捩りコイルバネ４１により、蓋体５の開放方向である図２８中矢印Ｊ２方向に回動付勢されている。すなわち、第１の係止部３８を、カセットホルダ８に配設されたカセット排出レバー４４に近接する方向に回動付勢されている。また、ロックレバー３６は、カセットホルダ８の基端側に設けられたカセット保持部６０の側面に形成された回動規制片３３に一端側の当接部４０を当接させて、捩りコイルバネ４１による回動付勢位置が規制されている。
【０１４５】
そして、ロックレバー３６は、捩りコイルバネ４１の付勢力を受けて、当接部４０を回動規制片３３に当接させた図２８に示す初期位置にあるときに、第１の係止部３８にカセット排出レバー４４に設け係止片５０を係止させ、このカセット排出レバー４４を引張りバネ４６の付勢力に抗して図２０中矢印Ｓ２方向に移動された位置にロックする。なお、係止片５０は、図６に示すように、カセット排出レバー４４の基端側の一側に延長された延長片の先端に形成されている。カセット排出レバー４４がロックレバー３６にロックされた状態にあるとき、このカセット排出レバー４４に設けた押圧操作片５７は、カセットホルダ８から退出された位置にある。また、カセット排出レバー４４は、第１の係止部３８に対する係止片５０の係合が解除されると、引張りバネ４６の付勢力を受けて押圧操作片５７をカセットホルダ８内に移動させる図２０中矢印Ｓ１方向に移動される。
【０１４６】
ところで、ロックレバー３６は、蓋体５がカセット装着部４を開放した図２８に示す開放位置にあるとき、当接部４０を回動規制片３３に当接させた初期位置にある。
【０１４７】
そして、蓋体５が開蓋位置にあって、カセット挿脱口をレコーダ本体１の外方に臨ませた位置に回動されたカセットホルダ８にテープカセット２０１を挿入し、このテープカセット２０１の挿入側の端面で押圧操作片５７を押圧操作すると、カセット排出レバー４４は引張りバネ４６の付勢力に抗して、図２０中矢印Ｓ２方向に移動され、係止片５０がロックレバー３６の第１の係止部３８の先端部３８ａを押圧し、ロックレバー３６を、捩りコイルバネ４１の付勢力に抗して支軸３５を中心にして図２８中矢印Ｘ１方向に回動する。ここからさらにテープカセット２０１をカセットホルダ８の内方に挿入し、カセット排出レバー４４を引張りバネ４６の付勢力に抗してさらに図２０中矢印Ｓ２方向に移動させると、係止片５０が第１の係止部３８の先端部３８ａを乗り越える。そして、ロックレバー３６は、捩りコイルバネ４１の付勢力を受けて図２８中反印Ｘ２方向に回動復帰し、係止片５０を第１の係止部３８に係合させる。係止片５０が第１の係止部３８に係止されると、カセット排出レバー４４は、押圧操作片５７をカセットホルダ８に挿入保持されたテープカセット２０１の挿入側端面から離間させたカセットホルダ８から退出した位置にロックされる。
【０１４８】
また、ロックレバー３６が支軸３５を中心にして回動するとき、このロックレバー３６の先端側に形成した第２の係止部３９の回動軌跡中に臨むようにして、ロックレバー３６の回動を規制する弾性変位可能な板バネにより形成された回動規制板２９が設けられている。この回動規制板２９は、垂直部２９ａの先端部から側方に向かって回動規制部２９ｂを突出させＬ字状に形成されている。そして、回動規制板２９は、回動規制部２９ｂを第２の係止部３９の回動軌跡中に臨ませるようにして、垂直部２９ａの基端部をシャーシ６の一部を折曲して形成した立上り片２８に固定して取付けされている。すなわち、回動規制板２９は、立上り片２８に固定された垂直部２９ａの基端部を中心にして、図２８中矢印Ｖ１方向に弾性変位可能となされている。
【０１４９】
上述したようにカセットホルダ８にテープカセット２０１を挿入保持させた後、蓋体５をカセット装着部４を閉塞する図２８中矢印Ｊ２方向に回動させていくと、ロックレバー３６の第２の係止部３９の先端部が回動規制板２９に設けた回動規制部２９ｂに当接する。さらに、蓋体５を図２８中矢印Ｊ２方向に回動させていくと、回動規制板２９はロックレバー３６が押圧されながら図２８中矢印Ｖ１方向に弾性変位されている。そして、蓋体５がカセットホルダ８とともにカセット装着部４を閉塞する位置まで回動されと、ロックレバー３６の回動規制板２９への当接が解除され、第２の係止部３９が回動規制部２９ｂの下面側に突出する。ロックレバー３６の回動規制板２９への当接が解除されると、回動規制板２９は図２８中矢印Ｖ２方向に弾性復帰し、第２の係止部３９が回動規制部２９ｂに係合する。
【０１５０】
また、ロックレバー３６は、蓋体５がカセット装着部４を開放する図２８中矢印Ｊ１方向に回動される途中で捩じりコイルバネ４１の付勢力に抗して図２８中矢印Ｘ１方向に回動されてカセット排出レバー４４のロックを解除する。すなわち、ロックレバー３６は、蓋体５がカセット装着部４を閉塞する位置にあるとき、回動規制板２９に第２の係止部３９を係止させた状態にある。そして、蓋体５が、カセット装着部４を開放する図２８中矢印Ｊ１方向に回動されていくと、ロックレバー３６は、捩じりコイルバネ４１の付勢力に抗して図２８中矢印Ｘ１方向に回動される。蓋体５がさらに回動され、この蓋体５と一体に回動するカセットホルダ８に保持されたテープカセット２０１が第１及び第２のキャプスタン軸１７，１８から離脱される位置まで回動すると、第１の係止部３８によるカセット排出レバー４４の係止片５０に対する係止が解除される。そして、カセット排出レバー４４のロックレバー３６によるロックが解除されると、カセット排出レバー４４は、引張りバネ４６の付勢力を受けて、図２０中矢印Ｓ１方向に移動し、押圧操作片５７によりテープカセット２０１をカセットホルダ８から排出する方向に押圧操作する。
【０１５１】
そして、さらに蓋体５がカセット装着部４を開放する方向に回動すると、第２の係止部３９の回動規制部２９ｂへの係合が解除され、ロックレバー３６は捩じりコイルバネ４１の付勢力を受けて図２８中矢印Ｘ２方向に回動され初期位置に復帰される。すなわち、ロックレバー３６は、蓋体５のさらなる開蓋方向への回動によって図２８中矢印Ｘ１方向にさらに回動されて第２の係止部３９の回動規制部２９ｂへの係合を解除させる。
〔７〕テープレコーダの動作
上述のように構成された本実施例のテープレコーダにテープカセット２０１を装着し、このテープカセット２０１に収納された磁気テープ２０６に対し楽音信号等の情報信号の記録及び／又は再生を行う動作について説明する。
【０１５２】
レコーダ本体１に構成されたカセット装着部４にテープカセット２０１を装着させるため、図２、図４、図５及び図２１に示すようにカセット装着部４を閉塞した状態にある蓋体５の開放操作を行う。蓋体５を開放するには、イジェクト釦７３を押圧操作する。イジェクト釦７３が押圧操作されると、イジェクト操作レバー１０８が図８中矢印Ｆ１方向に移動され、イジェクトレバー１１０が図９中矢印Ｇ１方向に回動操作される。このイジェクトレバー１１０の図９中矢印Ｇ１方向への回動操作によって、ロックレバー２３がイジェクトレバー１１０により図２５中矢印Ｈ１方向に移動され、ロック片２４が蓋体５の係合部１００から外れ、蓋体５のロックを解除する。ロックレバー２３による蓋体５のロックが解除されると、板バネ１３８が蓋体５の基端側の側面を押圧し、蓋体５は支軸３５を中心にして図２２中矢印Ｊ１方向のカセット装着部４を開放する方向に回動される。この板バネ１３８による押圧操作と同時に、回動アーム６２が引張りバネ６３の付勢力を受けて図２２中矢印Ｐ１方向に回動される。回動アーム６２が回動されると、図２１に示すように、支軸６８を中心にして回動アーム６２に対し折り畳まれるように回動されていた連結アーム６４が回動アーム６２に対し伸長するように支軸６８を中心に回動される。このように、折り畳み状態にあった回動アーム６２及び連結アーム６４が互いに伸長するように回動されることによって、蓋体５は、支軸３５を中心に、図２２に示すように、カセット装着部４を開放する位置まで回動される。
【０１５３】
蓋体５が図２２中矢印Ｊ１方向のカセット装着部４を開放する方向に回動されるとき、この蓋体５に係合爪を介して連結されたカセットホルダ８も同方向に回動される。すなわち、蓋体５が図２２中矢印Ｊ１方向に回動されると、カセットホルダ８も支軸３４を中心にして蓋体５とともにカセット装着部４から離間する方向に回動され、図２２に示すように、テープカセット２１０の挿脱が行われる先端側のカセット挿脱口をレコーダ本体１の外方に臨まされる。
【０１５４】
上述のように蓋体５を開放し、カセットホルダ８のカセット挿脱口を外方に臨ませた状態でテープカセット２０１の装着操作を行う。平面形状を長方形となすテープカセット２０１は、相対向する一対の短辺の一方を挿入端として、カセット挿脱口を解してカセットホルダ８に挿入する。このとき、テープカセット２０１は、磁気ヘッド挿入穴２０７等が形成され磁気テープ２０６の一部が外方に臨まされた面をレコーダ本体１内に配設された磁気ヘッド９に対向するよう向きとなされてカセットホルダ８に挿入される。
【０１５５】
テープカセット２０１がカセットホルダ８内に挿入されていくと、カセットホルダ８に取り付けたカセット排出レバー４４がテープカセット２０１に押圧操作されて引張りバネ４６の付勢力に抗してカセットホルダ８の内方の図２０中矢印Ｓ２方向に移動操作される。そして、テープカセット２０１がカセットホルダ８の正規の挿入位置まで挿入されると、カセット排出レバー４４は、係止片５０をロックレバー３６の第１の係止部３８に係止させ、引張りバネ４６を伸長させた状態で、カセットホルダ８の内方に移動された位置にロックされる。
【０１５６】
テープカセット２０１をカセットホルダ８に挿入し、このカセットホルダ８に保持させた後、蓋体５をカセットホルダ８とともにカセット装着部４を閉塞する図２２中矢印Ｊ２方向に回動させると、カセットホルダ８に保持されたテープカセット２０１に設けたキャプスタン挿通孔２１３，２１３のそれぞれに第１及び第１のキャプスタン軸１７，１８が挿通し、リバース軸挿通孔２１０，２１１を介してテープリール２０２，２０３のリールハブ２０２ａ，２０３ａに各リール駆動軸１９，２０が係合され、さらに位置決め穴２１４，２１４に位置決めピン１５，１６が挿通されていく。そして、蓋体５がカセット装着部４を閉塞する位置まで回動されると、カセットホルダ８に挿入保持されたテープカセット２０１は、カセット装着部４側に設けた位置決めピン１５，１６や高さ位置決めピンに支持されることによって、カセット装着部４への装着位置が位置決めされる。
【０１５７】
また、カセット装着部４を閉塞する位置まで蓋体５が回動されると、係合部１００がロックレバー２３のロック片２４に係合することによって、蓋体５はカセット装着部４を閉塞した位置にロックされる。このとき、カセットホルダ８に挿入保持されたテープカセット２０１は、カセットホルダ８に設けた第１及び第２の板バネ５１，５２のカセット押圧片５１ａ，５２ａによってシャーシ６側に押圧支持されることにより、位置決めピン１５，１６や高さ位置決めピンに圧着されることにより、正確な位置決めが図られてカセット装着部４に装着された状態を維持する。
【０１５８】
上述のようにテープカセット２０１をカセット装着部４に装着させた後、プレーヤ本体１に設けた操作釦７４に構成されたこのテープレコーダが備える各種の操作モードを選択する押圧部を押圧する。この押圧部が押圧操作されることにより、このテープレコーダは押圧操作された押圧部に対応する操作モードが選択される。すなわち、テープレコーダは、押圧操作された押圧部に応じて、磁気テープ２０６をフォワード方向又はリバース方向に走行させて情報信号の記録及び／又は再生を行うフォワードモード又はリバースモードでの情報信号の記録及び／又は再生モードに設定されて、磁気テープ２０６に対する情報信号の記録及び／又は再生を行う。あるいは、テープレコーダは、磁気テープ２０６を高速走行させ、この磁気テープ２０６に記録された情報信号である曲を検出する選曲モードや、磁気テープ２０６を巻取り側のテープリールに高速送り操作する早送りモード、磁気テープ２０６を供給側のテープリールに巻戻し操作する巻戻しモードに設定され、これら各操作モードに応じた動作を行う。
【０１５９】
そして、このテープレコーダは、磁気テープ２０６を定速走行させ、この磁気テープ２０６に対し情報信号の記録及び／又は再生を可能となす記録及び／又は再生モードが選択された状態にあると、操作モード切換えレバー１１８が捩りコイルバネ１８６の付勢力に抗して中立位置から図１１中矢印Ｂ１方向又はＢ２方向に移動された状態にあって、この切換えレバー１１８に設けた回動規制片１２２がイジェクトレバー１１０の一側に対向し、イジェクトレバー１１０の操作を禁止した状態におく。従って、記録及び／又は再生モードが選択された状態にあるときには、イジェクト釦７３が押圧操作されても、イジェクトレバー１１０の移動操作が規制され、蓋体５の開蓋操作が禁止される。そして、蓋体５の開蓋操作が規制されることから、カセットホルダ８はカセット装着部４側に回動された状態を維持し、テープカセット２０１をカセット装着部４に装着させた状態を維持する。
【０１６０】
このように、磁気ヘッド９がカセット装着部４側に進出し、テープカセット２０１内に進入され、磁気テープ２０６の定速走行が行われた状態にある記録及び／又は再生モードでのイジェクト操作を禁止することから、磁気ヘッド９やピンチローラ１１，１２等のこのテープレコーダの記録再生部を構成する機構部の確実な保護を図ることができる。
【０１６１】
そして、カセット装着部４に装着されたテープカセット２０１の磁気テープ２０６に対する所望の楽曲等の情報信号の記録及び／又は再生を行った後、操作釦７４を停止モードに対応する押圧部を押圧操作してこのテープレコーダを停止させ、次いで、イジェクト釦７３を押圧操作すると、前述したように、蓋体５の開蓋操作及びカセットホルダ８のカセット装着部８からの離間操作が行われる。
【０１６２】
ところで、イジェクト釦７が押圧操作され、カセットホルダ８が蓋体５とともにカセット装着部４から離間する方向に支軸３４を中心に回動され、このカセットホルダ８に保持されたテープカセット２０１から第１及び第２のキャプスタン軸１７，１８及び位置決めピン１５，１６が外れ、先端側のカセット挿脱口がレコーダ本体１の外方に臨む位置に至ると、ロックレバー３６が捩りコイルバネ３６ａの付勢力に抗して、蓋体５の支軸３５を中心にして蓋体５の回動方向と逆方向の図２８中矢印Ｘ１方向に回動される。ロックレバー３６が蓋体５の回動方向と逆方向に回動されると、カセット排出レバー４４に設けた係止片５０のロックレバー３６に設けた第１の係止部３８への係合が解除され、カセット排出レバー４４のロックが解除される。そして、ロックレバー３６によるカセット排出レバー４４のロックが解除されと、カセット排出レバー４４は、引張りバネ４６の付勢力を受けて図２０中矢印Ｓ１方向に移動し、押圧操作片５７によりテープカセットの２０１の挿入側の端面を押圧し、このテープカセット２１０をカセットホルダ８から排出する方向に突出させる。このとき、テープカセット２０１は、挿入側の短辺２０９ｃと対向する他方の短辺２０９ｄ側をカセットホルダ８から突出させた状態に置かれる。従って、このカセットホルダ８から突出された部分を把持することによって、テープカセット２０１の取り出しを操作を容易に行うことができる。
【０１６３】
本発明が適用されるテープレコーダは、情報信号の記録再生の双方を可能となすもののみならず、専らテープ状記録媒体に記録された情報信号の再生のみを行うものであってもよい。さらに、ラジオ受信機を内蔵したテープレコーダにもそのまま適用できるものである。
【図面の簡単な説明】
【０１６４】
【図１】本発明に係るテープレコーダの記録媒体として用いられるテープカセットを示す斜視図である。
【図２】本発明に係るテープレコーダを蓋体が配設された側から見た斜視図である。
【図３】図２に示すテープレコーダの蓋体が開放された状態を示す斜視図である。
【図４】本発明に係るテープレコーダを操作釦が配設された側から見た斜視図である。
【図５】シャーシ板によって覆われる操作釦を外方に臨ませた状態を示す斜視図である。
【図６】本発明に係るテープレコーダを示す分解斜視図である。
【図７】レコーダ本体内に構成されるモード切換え機構を示す分解斜視図である。
【図８】シャーシの他方の主面を示す平面図である。
【図９】テープレコーダのモード切換え機構を示す平面図である。
【図１０】モード切換え機構の要部構成を示す平面図である。
【図１１】フォワードモードにおける記録及び／又は再生モードが選択された状態を示すモード切換え機構の平面図である。
【図１２】リバースモードにおける記録及び／又は再生モードが選択された状態を示すモード切換え機構の平面図である。
【図１３】停止モードにおけるモード切換え機構の平面図である。
【図１４】モード切換え機構を構成するギヤ移動レバーの周辺部分を示す平面図である。
【図１５】ギヤ移動レバーを移動操作するソレノイドプランジャが作動された状態を示す平面図である。
【図１６】記録及び／又は再生モードが選択されたときのギヤ移動レバーの移動位置を示す平面図である。
【図１７】テープ走行方向を切り換える切換えギヤを示す平面図である。
【図１８】モード切換え機構を構成するカムギヤの一方の主面側の平面図である。
【図１９】図１８に示すカムギヤの他方の主面側を示す平面図である。
【図２０】本発明に係るテープレコーダを構成するカセットホルダを示す平面図である。
【図２１】蓋体及びカセットホルダの取付け状態を示す側面図である。
【図２２】カセット装着部を開放した状態を示す側面図である。
【図２３】蓋体のロック機構を示す要部平面図である。
【図２４】蓋体を開放操作するイジェクト釦を示す正面を示す正面図である。
【図２５】蓋体のロック機構を示す正面図である。
【図２６】蓋体のロックが解除され状態を示す正面図である。
【図２７】カセット装着部にテープカセットを装着した状態を示す側面図である。
【図２８】カセット排出レバーをロックするロック機構を示す側面図である。
【符号の説明】
【０１６５】
１  レコーダ本体、  ２  ハウジング、  ４  カセット装着部、  ５  蓋体、  ６  シャーシ、  ５  蓋体、  ８  カセットホルダ、  ９  磁気ヘッド、  ２３  蓋体のロックレバー、  ４４  カセット排出レバー、  ７３  イジェクト操作釦、  イジェクト操作レバー、  １１０  イジェクトレバー、  
２０１  テープカセット
【図１】
2005353272.tif 000003
【図２】
2005353272.tif 000004
【図３】
2005353272.tif 000005
【図４】
2005353272.tif 000006
【図５】
2005353272.tif 000007
【図６】
2005353272.tif 000008
【図７】
2005353272.tif 000009
【図８】
2005353272.tif 000010
【図９】
2005353272.tif 000011
【図１０】
2005353272.tif 000012
【図１１】
2005353272.tif 000013
【図１２】
2005353272.tif 000014
【図１３】
2005353272.tif 000015
【図１４】
2005353272.tif 000016
【図１５】
2005353272.tif 000017
【図１６】
2005353272.tif 000018
【図１７】
2005353272.tif 000019
【図１８】
2005353272.tif 000020
【図１９】
2005353272.tif 000021
【図２０】
2005353272.tif 000022
【図２１】
2005353272.tif 000023
【図２２】
2005353272.tif 000024
【図２３】
2005353272.tif 000025
【図２４】
2005353272.tif 000026
【図２５】
2005353272.tif 000027
【図２６】
2005353272.tif 000028
【図２７】
2005353272.tif 000029
【図２８】
2005353272.tif 000030